(57)【要約】      （修正有）【課題】記憶できる情報量を格段に増加し、且つ読み取りが容易な情報記録コード、その検出装置、およびその検出システムを提供する。【解決手段】情報記録コード１は、情報記録領域５０内の各単位セル２０４ａ〜２０４ｈに塗布された、第１励起波長の励起光が照射されると第１励起波長と異なる第１発光波長の光を発光する第１蛍光体と、第１励起波長の励起光が照射されると第１励起波長と異なる第２発光波長の光を発光する第２蛍光体と、第２励起波長の励起光が照射されると第２励起波長と異なる第３発光波長の光を発光する第３蛍光体とを有する。【選択図】図１
2015099431.tif 000002
【特許請求の範囲】
【請求項１】
情報記録領域と、
前記情報記録領域内に塗布され、第１励起波長の励起光が照射されると前記第１励起波長と異なる第１発光波長の光を発光する第１蛍光体と、
前記情報記録領域内に塗布され、前記第１励起波長の励起光が照射されると前記第１励起波長と異なる第２発光波長の光を発光する第２蛍光体と、
前記情報記録領域内に塗布され、第２励起波長の励起光が照射されると前記第２励起波長と異なる第３発光波長の光を発光する第３蛍光体と
を有することを特徴とする情報記録コード。
【請求項２】
請求項１に記載の情報記録コードであって、
前記第１発光波長は、前記第１励起波長より長く、
前記第２発光波長は、前記第１発光波長より長く、
前記第２励起波長は、前記第１発光波長近傍にあり、
前記第３発光波長は、前記第２発光波長近傍にあること
を特徴とする情報記録コード。
【請求項３】
請求項２に記載の情報記録コードであって、
前記第１励起波長の励起光は、紫外光であり、
前記第２励起波長の励起光は、青色光であり、
前記第１発光波長の光は、青色であり、
前記第２および第３発光波長の光は、緑色であること
を特徴とする情報記録コード。
【請求項４】
請求項３に記載の情報記録コードであって、
前記第１蛍光体は、Ｂａ３ＭｇＳｉ２Ｏ８：Ｅｕ２＋
前記第２蛍光体は、Ｃａ６Ｓｒ４（Ｓｉ２Ｏ７）３Ｃｌ２：Ｅｕ２＋
前記第３蛍光体は、ＳｒＳｉ２（Ｏ，Ｃｌ）Ｎ２：Ｅｕ２＋
であることを特徴とする情報記録コード。
【請求項５】
請求項１〜４のいずれか一項に記載の情報記録コードであって、
前記情報記録領域内の単位セル当りで少なくとも３ビットの情報を記録可能なこと
を特徴とする情報記録コード。
【請求項６】
請求項５に記載の情報記録コードであって、
前記単位セルに塗布される前記第１〜第３蛍光体は、
前記第１〜第３発光波長の各光の発光強度を変化させて前記３ビットより多い情報を記録できるように各塗布量が制御されていること
を特徴とする情報記録コード。
【請求項７】
請求項６に記載の情報記録コードであって、
前記第１〜第３蛍光体の少なくとも一部が塗布されたリファレンスセルをさらに有し、
前記リファレンスセルにおける前記第１〜第３発光波長の各光の発光強度と、前記単位セルにおける前記第１〜第３発光波長の各光の発光強度との比を変化させて、前記３ビットより多い情報を記録できるように前記単位セルおよび前記リファレンスセルの各塗布量が制御されていること
を特徴とする情報記録コード。
【請求項８】
請求項６または７に記載の情報記録コードであって、
前記第１〜第３蛍光体の各塗布量はそれぞれ４段階に区分されており、前記第１〜第３発光波長の各光の発光強度をそれぞれ４段階に変化させて前記単位セル当りで６ビットの情報を記録可能なこと
を特徴とする情報記録コード。
【請求項９】
請求項５に記載の情報記録コードであって、
前記情報記録領域内に塗布され、前記第１励起波長の励起光が照射されると前記第１励起波長と異なる第４発光波長の光を発光する第４蛍光体と、
前記情報記録領域内に塗布され、前記第２励起波長の励起光が照射されると前記第２励起波長と異なる第５発光波長の光を発光する第５蛍光体と、
前記情報記録領域内に塗布され、第３励起波長の励起光が照射されると前記第３励起波長と異なる第６発光波長の光を発光する第６蛍光体と
をさらに有し、
前記単位セル当りで少なくとも６ビットの情報を記録可能なこと
を特徴とする情報記録コード。
【請求項１０】
請求項９に記載の情報記録コードであって、
前記単位セルに塗布される前記第１〜第６蛍光体は、
前記第１〜第６発光波長の各光の発光強度を変化させて前記６ビットより多い情報を記録できるように各塗布量が制御されていること
を特徴とする情報記録コード。
【請求項１１】
請求項１０に記載の情報記録コードであって、
前記第１〜第６蛍光体の少なくとも一部が塗布されたリファレンスセルをさらに有し、
前記リファレンスセルにおける前記第１〜第６発光波長の各光の発光強度と、前記単位セルにおける前記第１〜第６発光波長の各光の発光強度との比を変化させて、前記６ビットより多い情報を記録できるように前記単位セルおよび前記リファレンスセルの各塗布量が制御されていること
を特徴とする情報記録コード。
【請求項１２】
請求項１１に記載の情報記録コードであって、
前記第１〜第６蛍光体の各塗布量はそれぞれ４段階に区分されており、前記第１〜第６発光波長の各光の発光強度をそれぞれ４段階に変化させて前記単位セル当りで１２ビットの情報を記録可能なこと
を特徴とする情報記録コード。
【請求項１３】
請求項１〜４のいずれか一項に記載の情報記録コードであって、
前記情報記録領域内で３種類の一次元情報を重ねて記録可能なこと
を特徴とする情報記録コード。
【請求項１４】
請求項１３に記載の情報記録コードであって、
前記情報記録領域内に塗布され、前記第１励起波長の励起光が照射されると前記第１励起波長と異なる第４発光波長の光を発光する第４蛍光体と、
前記情報記録領域内に塗布され、前記第２励起波長の励起光が照射されると前記第２励起波長と異なる第５発光波長の光を発光する第５蛍光体と、
前記情報記録領域内に塗布され、第３励起波長の励起光が照射されると前記第３励起波長と異なる第６発光波長の光を発光する第６蛍光体と
をさらに有し、
前記情報記録領域内で６種類の一次元情報を重ねて記録可能なこと
を特徴とする情報記録コード。
【請求項１５】
請求項９〜１２または１４のいずれか一項に記載の情報記録コードであって、
前記第３励起波長は、前記第２発光波長近傍にあり、
前記第４発光波長は、前記第３発光波長より長く、
前記第５発光波長は、前記第４発光波長近傍にあり、
前記第６発光波長は、前記第４発光波長近傍にあること
を特徴とする情報記録コード。
【請求項１６】
請求項１５に記載の情報記録コードであって、
前記第３励起波長の励起光は、緑色光であり、
前記第４〜６発光波長の光は、いずれも赤色であること
を特徴とする情報記録コード。
【請求項１７】
請求項１６に記載の情報記録コードであって、
前記第４蛍光体は、Ｙ２Ｏ２Ｓ：Ｅｕ３＋
前記第５蛍光体は、ＣａＳ：Ｅｕ２＋
前記第６蛍光体は、Ａｌｅｘａ  Ｆｌｕｏｒ  ５９４（登録商標）
であることを特徴とする情報記録コード。
【請求項１８】
情報記録領域と、
前記情報記録領域内に塗布され、第１励起波長の励起光が照射されると前記第１励起波長と異なる第１発光波長の光を発光する第１蛍光体と、
前記情報記録領域内に塗布され、前記第１励起波長の励起光が照射されると前記第１励起波長と異なる第２発光波長の光を発光する第２蛍光体と、
前記情報記録領域内に塗布され、第２励起波長の励起光が照射されると前記第２励起波長と異なる第３発光波長の光を発光する第３蛍光体と
を有する情報記録コードに対し、
前記情報記録領域に前記第１励起波長の励起光を照射する第１光源と、
前記情報記録領域に前記第２励起波長の励起光を照射する第２光源と、
前記第１励起波長の励起光の照射により前記第１蛍光体が発する前記第１発光波長の光の像である第１像を撮像する第１撮像素子と、
前記第１励起波長の励起光の照射により前記第２蛍光体が発する前記第２発光波長の光の像である第２像と、前記第２励起波長の励起光の照射により前記第３蛍光体が発する前記第３発光波長の光の像である第３像とを撮像する第２撮像素子と、
前記第１光源と前記第２光源の発光状態を切替えて、前記第１光源の発光時に前記第１撮像素子の前記第１像の撮像データと前記第２撮像素子の前記第２像の撮像データを取込み、前記第２光源の発光時に前記第２撮像素子の前記第３像の撮像データを取込むように制御する発光／撮像制御部と、
前記第１〜第３像の撮像データを復号して前記単位セルごとに少なくとも３ビットの情報を読み出す復号処理部と
を有することを特徴とする情報記録コードの検出装置。
【請求項１９】
請求項１８に記載の情報記録コードの検出装置であって、
前記復号処理部は、
前記第１〜第３像の撮像データから前記第１〜第３発光波長の各光の発光強度レベルを検出して前記３ビットより多い情報を復号すること
を特徴とする情報記録コードの検出装置。
【請求項２０】
請求項１９に記載の情報記録コードの検出装置であって、
前記情報記録コードは、
前記情報記録領域内に前記第１〜第３蛍光体の少なくとも一部が塗布されたリファレンスセルをさらに有し、
前記復号処理部は、
前記第１〜第３像の撮像データから前記リファレンスセルにおける前記第１〜第３発光波長の各光の発光強度レベルを検出し、前記リファレンスセルにおける前記第１〜第３発光波長の各光の発光強度レベルに基づいて、前記単位セルにおける前記第１〜第３発光波長の各光の発光強度レベルを検出して前記３ビットより多い情報を復号すること
を特徴とする情報記録コードの検出装置。
【請求項２１】
請求項１９または２０に記載の情報記録コードの検出装置であって、
前記復号処理部は、
前記第１〜第３像の撮像データから前記第１〜第３発光波長の各光の４段階の発光強度レベルを検出して前記単位セル当りで６ビットの情報を復号すること
を特徴とする情報記録コードの検出装置。
【請求項２２】
請求項１８に記載の情報記録コードの検出装置であって、
前記情報記録領域内に塗布され、前記第１励起波長の励起光が照射されると前記第１励起波長と異なる第４発光波長の光を発光する第４蛍光体と、
前記情報記録領域内に塗布され、前記第２励起波長の励起光が照射されると前記第２励起波長と異なる第５発光波長の光を発光する第５蛍光体と、
前記情報記録領域内に塗布され、第３励起波長の励起光が照射されると前記第３励起波長と異なる第６発光波長の光を発光する第６蛍光体と
をさらに有する前記情報記録コードに対し、
前記情報記録領域に前記第３励起波長の励起光を照射する第３光源と、
前記第１励起波長の励起光の照射により前記第４蛍光体が発する前記第４発光波長の光の像である第４像と、前記第２励起波長の励起光の照射により前記第５蛍光体が発する前記第５発光波長の光の像である第５像と、前記第３励起波長の励起光の照射により前記第６蛍光体が発する前記第６発光波長の光の像である第６像とを撮像する第３撮像素子と
をさらに有し、
前記発光／撮像制御部は、
前記第１〜前記第３光源の発光状態を順次切替えて、
前記第１光源の発光時に前記第１撮像素子の前記第１像の撮像データと、前記第２撮像素子の前記第２像の撮像データと、前記第３撮像素子の前記第４像の撮像データとを取込み、
前記第２光源の発光時に前記第２撮像素子の前記第３像の撮像データと、前記第３撮像素子の前記第５像の撮像データとを取込み、
前記第３光源の発光時に前記第３撮像素子の前記第６像の撮像データを取込むように制御し、
前記復号処理部は、
前記第１〜第６像の撮像データを復号して前記単位セルごとに少なくとも６ビットの情報を読み出すこと
を特徴とする情報記録コードの検出装置。
【請求項２３】
請求項２２に記載の情報記録コードの検出装置であって、
前記復号処理部は、
前記第１〜第６像の撮像データから前記第１〜第６発光波長の各光の発光強度レベルを検出して前記６ビットより多い情報を復号すること
を特徴とする情報記録コードの検出装置。
【請求項２４】
請求項２３に記載の情報記録コードの検出装置であって、
前記情報記録コードは、
前記情報記録領域内に前記第１〜第６蛍光体の少なくとも一部が塗布されたリファレンスセルをさらに有し、
前記復号処理部は、
前記第１〜第６像の撮像データから前記リファレンスセルにおける前記第１〜第６発光波長の各光の発光強度レベルを検出し、前記リファレンスセルにおける前記第１〜第３発光波長の各光の発光強度レベルに基づいて、前記単位セルにおける前記第１〜第６発光波長の各光の発光強度レベルを検出して前記６ビットより多い情報を復号すること
を特徴とする情報記録コードの検出装置。
【請求項２５】
請求項２３または２４に記載の情報記録コードの検出装置であって、
前記復号処理部は、
前記第１〜第６像の撮像データから前記第１〜第６発光波長の各光の４段階の発光強度レベルを検出して前記単位セル当りで１２ビットの情報を復号すること
を特徴とする情報記録コードの検出装置。
【請求項２６】
情報記録領域と、
前記情報記録領域内に塗布され、第１励起波長の励起光が照射されると前記第１励起波長と異なる第１発光波長の光を発光する第１蛍光体と、
前記情報記録領域内に塗布され、前記第１励起波長の励起光が照射されると前記第１励起波長と異なる第２発光波長の光を発光する第２蛍光体と、
前記情報記録領域内に塗布され、第２励起波長の励起光が照射されると前記第２励起波長と異なる第３発光波長の光を発光する第３蛍光体と
を有する情報記録コードに対し、
前記情報記録領域に前記第１励起波長の励起光を照射する第１光源と、
前記情報記録領域に前記第２励起波長の励起光を照射する第２光源と、
前記第１励起波長の励起光の照射により前記第１蛍光体が発する前記第１発光波長の光である第１光を受光する第１受光部と、
前記第１励起波長の励起光の照射により前記第２蛍光体が発する前記第２発光波長の光である第２光と、前記第２励起波長の励起光の照射により前記第３蛍光体が発する前記第３発光波長の光である第３光とを受光する第２受光部と、
前記第１光源と前記第２光源の発光状態を切替えて、前記第１光源の発光時に前記第１受光部の前記第１光の受光データと前記第２受光部の前記第２光の受光データを取込み、前記第２光源の発光時に前記第２受光部の前記第３光の受光データを取込むように制御する発光／受光制御部と、
前記第１〜第３光の受光データを復号して前記情報記録領域から３種類の一次元情報を読み出す復号処理部と
を有することを特徴とする情報記録コードの検出装置。
【請求項２７】
請求項２６に記載の情報記録コードの検出装置であって、
前記情報記録領域内に塗布され、前記第１励起波長の励起光が照射されると前記第１励起波長と異なる第４発光波長の光を発光する第４蛍光体と、
前記情報記録領域内に塗布され、前記第２励起波長の励起光が照射されると前記第２励起波長と異なる第５発光波長の光を発光する第５蛍光体と、
前記情報記録領域内に塗布され、第３励起波長の励起光が照射されると前記第３励起波長と異なる第６発光波長の光を発光する第６蛍光体と
をさらに有する前記情報記録コードに対し、
前記情報記録領域に前記第３励起波長の励起光を照射する第３光源と、
前記第１励起波長の励起光の照射により前記第４蛍光体が発する前記第４発光波長の光である第４光と、前記第２励起波長の励起光の照射により前記第５蛍光体が発する前記第５発光波長の光である第５光と、前記第３励起波長の励起光の照射により前記第６蛍光体が発する前記第６発光波長の光である第６光とを受光する第３受光部と
をさらに有し、
前記発光／受光制御部は、
前記第１〜前記第３光源の発光状態を順次切替えて、
前記第１光源の発光時に前記第１受光部の前記第１光の受光データと、前記第２受光部の前記第２光の受光データと、前記第３受光部の前記第４像の受光データとを取込み、
前記第２光源の発光時に前記第２受光部の前記第３光の受光データと、前記第３受光部の前記第５光の受光データとを取込み、
前記第３光源の発光時に前記第３受光部の前記第６光の受光データを取込むように制御し、
前記復号処理部は、
前記第１〜第６光の受光データを復号して前記情報記録領域から６種類の一次元情報を読み出すこと
を特徴とする情報記録コードの検出装置。
【請求項２８】
請求項１〜８のいずれか一項に記載された情報記録コードと、
請求項１８〜２１のいずれか一項に記載された情報記録コードの検出装置と
を有することを特徴とする情報記録コードの検出システム。
【請求項２９】
請求項９〜１２のいずれか一項に記載された情報記録コードと、
請求項２２〜２５のいずれか一項に記載された情報記録コードの検出装置と
を有することを特徴とする情報記録コードの検出システム。
【請求項３０】
請求項１３に記載された情報記録コードと、
請求項２６に記載された情報記録コードの検出装置と
を有することを特徴とする情報記録コードの検出システム。
【請求項３１】
請求項１４に記載された情報記録コードと、
請求項２７に記載された情報記録コードの検出装置と
を有することを特徴とする情報記録コードの検出システム。
【発明の詳細な説明】
【技術分野】
【０００１】
本発明は、情報記録コードに関し、特に、紙やフィルム等の情報記録媒体に情報を記録する情報記録コードに関する。また本発明は、情報記録コードの検出装置、および検出システムに関する。
【背景技術】
【０００２】
特許文献１には、記録できるデータ量を増大させ、且つ、プリンタ、スキャナ等の特性に依らず読み取ることを可能とするカラー２次元コードの作成方法を提供することを目的とし、予め定められた複数の色彩又は濃度又は輝度を含む複数の前記色の組合せのうちから、２次元カラーコードを印刷するプリンタの最小ドットで表現可能な階調数に応じて、一の色の組合せを選択するステップと、２次元カラーコードを印刷するプリンタの最小ドットで表現可能な階調数に応じて、情報ビット列をｎビットごとにブロック化するステップと、各ブロックを前記各セルに対応付けるステップと、ブロックのｎビットの表す値に対応する色を一の色の組合せの中から選択するステップと、各セルを対応する色で印刷するステップと、一の色の組合せを識別する情報を印刷するステップと、一の色の組合せを印刷するステップとを有するカラー２次元コードの作成方法が開示されている。
【先行技術文献】
【特許文献】
【０００３】
【特許文献１】特開２００３−１７８２７７号公報
【発明の概要】
【発明が解決しようとする課題】
【０００４】
特許文献１には、ＱＲコード（登録商標）に白や黒だけでなく赤や青等の色を使うことで、記録できる情報量を増やす方法が記載されている。しかしながら、この方法では白黒のＱＲコードより記録できる情報量は多いものの、データ量の多い画像等を保存するには、記録できる情報量は未だ不十分である。情報量を増やすには線幅を細くしたり、ドットを細かくしたりする必要があるが、こうするとデータ読み取りが困難になってしまうという課題がある。
【０００５】
本発明の目的は、記録できる情報量を格段に増加できる情報記録コード、その検出装置、およびその検出システムを提供することにある。
【課題を解決するための手段】
【０００６】
（１）上記目的を達成するための本発明の一態様によれば、
情報記録領域と、
前記情報記録領域内に塗布され、第１励起波長の励起光が照射されると前記第１励起波長と異なる第１発光波長の光を発光する第１蛍光体と、
前記情報記録領域内に塗布され、前記第１励起波長の励起光が照射されると前記第１励起波長と異なる第２発光波長の光を発光する第２蛍光体と、
前記情報記録領域内に塗布され、第２励起波長の励起光が照射されると前記第２励起波長と異なる第３発光波長の光を発光する第３蛍光体と
を有することを特徴とする情報記録コードであってもよい。
【０００７】
（２）上記本発明の情報記録コードであって、
前記第１発光波長は、前記第１励起波長より長く、
前記第２発光波長は、前記第１発光波長より長く、
前記第２励起波長は、前記第１発光波長近傍にあり、
前記第３発光波長は、前記第２発光波長近傍にあること
を特徴とする情報記録コードであってもよい。
【０００８】
（３）上記本発明の情報記録コードであって、
前記第１励起波長の励起光は、紫外光であり、
前記第２励起波長の励起光は、青色光であり、
前記第１発光波長の光は、青色であり、
前記第２および第３発光波長の光は、緑色であること
を特徴とする情報記録コードであってもよい。
【０００９】
（４）上記本発明の情報記録コードであって、
前記第１蛍光体は、Ｂａ３ＭｇＳｉ２Ｏ８：Ｅｕ２＋
前記第２蛍光体は、Ｃａ６Ｓｒ４（Ｓｉ２Ｏ７）３Ｃｌ２：Ｅｕ２＋
前記第３蛍光体は、ＳｒＳｉ２（Ｏ，Ｃｌ）Ｎ２：Ｅｕ２＋
であることを特徴とする情報記録コードであってもよい。
【００１０】
（５）上記本発明の情報記録コードであって、
前記情報記録領域内の単位セル当りで少なくとも３ビットの情報を記録可能なこと
を特徴とする情報記録コードであってもよい。
【００１１】
（６）上記本発明の情報記録コードであって、
前記単位セルに塗布される前記第１〜第３蛍光体は、
前記第１〜第３発光波長の各光の発光強度を変化させて前記３ビットより多い情報を記録できるように各塗布量が制御されていること
を特徴とする情報記録コードであってもよい。
【００１２】
（７）上記本発明の情報記録コードであって、
前記第１〜第３蛍光体の少なくとも一部が塗布されたリファレンスセルをさらに有し、
前記リファレンスセルにおける前記第１〜第３発光波長の各光の発光強度と、前記単位セルにおける前記第１〜第３発光波長の各光の発光強度との比を変化させて、前記３ビットより多い情報を記録できるように前記単位セルおよび前記リファレンスセルの各塗布量が制御されていること
を特徴とする情報記録コードであってもよい。
【００１３】
（８）上記本発明の情報記録コードであって、
前記第１〜第３蛍光体の各塗布量はそれぞれ４段階に区分されており、前記第１〜第３発光波長の各光の発光強度をそれぞれ４段階に変化させて前記単位セル当りで６ビットの情報を記録可能なこと
を特徴とする情報記録コードであってもよい。
【００１４】
（９）上記本発明の情報記録コードであって、
前記情報記録領域内に塗布され、前記第１励起波長の励起光が照射されると前記第１励起波長と異なる第４発光波長の光を発光する第４蛍光体と、
前記情報記録領域内に塗布され、前記第２励起波長の励起光が照射されると前記第２励起波長と異なる第５発光波長の光を発光する第５蛍光体と、
前記情報記録領域内に塗布され、第３励起波長の励起光が照射されると前記第３励起波長と異なる第６発光波長の光を発光する第６蛍光体と
をさらに有し、
前記単位セル当りで少なくとも６ビットの情報を記録可能なこと
を特徴とする情報記録コードであってもよい。
【００１５】
（１０）上記本発明の情報記録コードであって、
前記単位セルに塗布される前記第１〜第６蛍光体は、
前記第１〜第６発光波長の各光の発光強度を変化させて前記６ビットより多い情報を記録できるように各塗布量が制御されていること
を特徴とする情報記録コードであってもよい。
【００１６】
（１１）上記本発明の情報記録コードであって、
前記第１〜第６蛍光体の少なくとも一部が塗布されたリファレンスセルをさらに有し、
前記リファレンスセルにおける前記第１〜第６発光波長の各光の発光強度と、前記単位セルにおける前記第１〜第６発光波長の各光の発光強度との比を変化させて、前記６ビットより多い情報を記録できるように前記単位セルおよび前記リファレンスセルの各塗布量が制御されていること
を特徴とする情報記録コードであってもよい。
【００１７】
（１２）上記本発明の情報記録コードであって、
前記第１〜第６蛍光体の各塗布量はそれぞれ４段階に区分されており、前記第１〜第６発光波長の各光の発光強度をそれぞれ４段階に変化させて前記単位セル当りで１２ビットの情報を記録可能なこと
を特徴とする情報記録コードであってもよい。
【００１８】
（１３）上記本発明の情報記録コードであって、
前記情報記録領域内で３種類の一次元情報を重ねて記録可能なこと
を特徴とする情報記録コードであってもよい。
【００１９】
（１４）上記本発明の情報記録コードであって、
前記情報記録領域内に塗布され、前記第１励起波長の励起光が照射されると前記第１励起波長と異なる第４発光波長の光を発光する第４蛍光体と、
前記情報記録領域内に塗布され、前記第２励起波長の励起光が照射されると前記第２励起波長と異なる第５発光波長の光を発光する第５蛍光体と、
前記情報記録領域内に塗布され、第３励起波長の励起光が照射されると前記第３励起波長と異なる第６発光波長の光を発光する第６蛍光体と
をさらに有し、
前記情報記録領域内で６種類の一次元情報を重ねて記録可能なこと
を特徴とする情報記録コードであってもよい。
【００２０】
（１５）上記本発明の情報記録コードであって、
前記第３励起波長は、前記第２発光波長近傍にあり、
前記第４発光波長は、前記第３発光波長より長く、
前記第５発光波長は、前記第４発光波長近傍にあり、
前記第６発光波長は、前記第４発光波長近傍にあること
を特徴とする情報記録コードであってもよい。
【００２１】
（１６）上記本発明の情報記録コードであって、
前記第３励起波長の励起光は、緑色光であり、
前記第４〜６発光波長の光は、いずれも赤色であること
を特徴とする情報記録コードであってもよい。
【００２２】
（１７）上記本発明の情報記録コードであって、
前記第４蛍光体は、Ｙ２Ｏ２Ｓ：Ｅｕ３＋
前記第５蛍光体は、ＣａＳ：Ｅｕ２＋
前記第６蛍光体は、Ａｌｅｘａ  Ｆｌｕｏｒ  ５９４（登録商標）
であることを特徴とする情報記録コードであってもよい。
【００２３】
（１８）上記目的を達成するための本発明の一態様によれば、
情報記録領域と、
前記情報記録領域内に塗布され、第１励起波長の励起光が照射されると前記第１励起波長と異なる第１発光波長の光を発光する第１蛍光体と、
前記情報記録領域内に塗布され、前記第１励起波長の励起光が照射されると前記第１励起波長と異なる第２発光波長の光を発光する第２蛍光体と、
前記情報記録領域内に塗布され、第２励起波長の励起光が照射されると前記第２励起波長と異なる第３発光波長の光を発光する第３蛍光体と
を有する情報記録コードに対し、
前記情報記録領域に前記第１励起波長の励起光を照射する第１光源と、
前記情報記録領域に前記第２励起波長の励起光を照射する第２光源と、
前記第１励起波長の励起光の照射により前記第１蛍光体が発する前記第１発光波長の光の像である第１像を撮像する第１撮像素子と、
前記第１励起波長の励起光の照射により前記第２蛍光体が発する前記第２発光波長の光の像である第２像と、前記第２励起波長の励起光の照射により前記第３蛍光体が発する前記第３発光波長の光の像である第３像とを撮像する第２撮像素子と、
前記第１光源と前記第２光源の発光状態を切替えて、前記第１光源の発光時に前記第１撮像素子の前記第１像の撮像データと前記第２撮像素子の前記第２像の撮像データを取込み、前記第２光源の発光時に前記第２撮像素子の前記第３像の撮像データを取込むように制御する発光／撮像制御部と、
前記第１〜第３像の撮像データを復号して前記単位セルごとに少なくとも３ビットの情報を読み出す復号処理部と
を有することを特徴とする情報記録コードの検出装置であってもよい。
【００２４】
（１９）上記本発明の情報記録コードの検出装置であって、
前記復号処理部は、
前記第１〜第３像の撮像データから前記第１〜第３発光波長の各光の発光強度レベルを検出して前記３ビットより多い情報を復号すること
を特徴とする情報記録コードの検出装置であってもよい。
【００２５】
（２０）上記本発明の情報記録コードの検出装置であって、
前記情報記録コードは、
前記情報記録領域内に前記第１〜第３蛍光体の少なくとも一部が塗布されたリファレンスセルをさらに有し、
前記復号処理部は、
前記第１〜第３像の撮像データから前記リファレンスセルにおける前記第１〜第３発光波長の各光の発光強度レベルを検出し、前記リファレンスセルにおける前記第１〜第３発光波長の各光の発光強度レベルに基づいて、前記単位セルにおける前記第１〜第３発光波長の各光の発光強度レベルを検出して前記３ビットより多い情報を復号すること
を特徴とする情報記録コードの検出装置であってもよい。
【００２６】
（２１）上記本発明の情報記録コードの検出装置であって、
前記復号処理部は、
前記第１〜第３像の撮像データから前記第１〜第３発光波長の各光の４段階の発光強度レベルを検出して前記単位セル当りで６ビットの情報を復号すること
を特徴とする情報記録コードの検出装置であってもよい。
【００２７】
（２２）上記本発明の情報記録コードの検出装置であって、
前記情報記録領域内に塗布され、前記第１励起波長の励起光が照射されると前記第１励起波長と異なる第４発光波長の光を発光する第４蛍光体と、
前記情報記録領域内に塗布され、前記第２励起波長の励起光が照射されると前記第２励起波長と異なる第５発光波長の光を発光する第５蛍光体と、
前記情報記録領域内に塗布され、第３励起波長の励起光が照射されると前記第３励起波長と異なる第６発光波長の光を発光する第６蛍光体と
をさらに有する前記情報記録コードに対し、
前記情報記録領域に前記第３励起波長の励起光を照射する第３光源と、
前記第１励起波長の励起光の照射により前記第４蛍光体が発する前記第４発光波長の光の像である第４像と、前記第２励起波長の励起光の照射により前記第５蛍光体が発する前記第５発光波長の光の像である第５像と、前記第３励起波長の励起光の照射により前記第６蛍光体が発する前記第６発光波長の光の像である第６像とを撮像する第３撮像素子と
をさらに有し、
前記発光／撮像制御部は、
前記第１〜前記第３光源の発光状態を順次切替えて、
前記第１光源の発光時に前記第１撮像素子の前記第１像の撮像データと、前記第２撮像素子の前記第２像の撮像データと、前記第３撮像素子の前記第４像の撮像データとを取込み、
前記第２光源の発光時に前記第２撮像素子の前記第３像の撮像データと、前記第３撮像素子の前記第５像の撮像データとを取込み、
前記第３光源の発光時に前記第３撮像素子の前記第６像の撮像データを取込むように制御し、
前記復号処理部は、
前記第１〜第６像の撮像データを復号して前記単位セルごとに少なくとも６ビットの情報を読み出すこと
を特徴とする情報記録コードの検出装置であってもよい。
【００２８】
（２３）上記本発明の情報記録コードの検出装置であって、
前記復号処理部は、
前記第１〜第６像の撮像データから前記第１〜第６発光波長の各光の発光強度レベルを検出して前記６ビットより多い情報を復号すること
を特徴とする情報記録コードの検出装置であってもよい。
【００２９】
（２４）上記本発明の情報記録コードの検出装置であって、
前記情報記録コードは、
前記情報記録領域内に前記第１〜第６蛍光体の少なくとも一部が塗布されたリファレンスセルをさらに有し、
前記復号処理部は、
前記第１〜第６像の撮像データから前記リファレンスセルにおける前記第１〜第６発光波長の各光の発光強度レベルを検出し、前記リファレンスセルにおける前記第１〜第３発光波長の各光の発光強度レベルに基づいて、前記単位セルにおける前記第１〜第６発光波長の各光の発光強度レベルを検出して前記６ビットより多い情報を復号すること
を特徴とする情報記録コードの検出装置であってもよい。
【００３０】
（２５）上記本発明の情報記録コードの検出装置であって、
前記復号処理部は、
前記第１〜第６像の撮像データから前記第１〜第６発光波長の各光の４段階の発光強度レベルを検出して前記単位セル当りで１２ビットの情報を復号すること
を特徴とする情報記録コードの検出装置であってもよい。
【００３１】
（２６）上記目的を達成するための本発明の一態様によれば、
情報記録領域と、
前記情報記録領域内に塗布され、第１励起波長の励起光が照射されると前記第１励起波長と異なる第１発光波長の光を発光する第１蛍光体と、
前記情報記録領域内に塗布され、前記第１励起波長の励起光が照射されると前記第１励起波長と異なる第２発光波長の光を発光する第２蛍光体と、
前記情報記録領域内に塗布され、第２励起波長の励起光が照射されると前記第２励起波長と異なる第３発光波長の光を発光する第３蛍光体と
を有する情報記録コードに対し、
前記情報記録領域に前記第１励起波長の励起光を照射する第１光源と、
前記情報記録領域に前記第２励起波長の励起光を照射する第２光源と、
前記第１励起波長の励起光の照射により前記第１蛍光体が発する前記第１発光波長の光である第１光を受光する第１受光部と、
前記第１励起波長の励起光の照射により前記第２蛍光体が発する前記第２発光波長の光である第２光と、前記第２励起波長の励起光の照射により前記第３蛍光体が発する前記第３発光波長の光である第３光とを受光する第２受光部と、
前記第１光源と前記第２光源の発光状態を切替えて、前記第１光源の発光時に前記第１受光部の前記第１光の受光データと前記第２受光部の前記第２光の受光データを取込み、前記第２光源の発光時に前記第２受光部の前記第３光の受光データを取込むように制御する発光／受光制御部と、
前記第１〜第３光の受光データを復号して前記情報記録領域から３種類の一次元情報を読み出す復号処理部と
を有することを特徴とする情報記録コードの検出装置であってもよい。
【００３２】
（２７）上記本発明の情報記録コードの検出装置であって、
前記情報記録領域内に塗布され、前記第１励起波長の励起光が照射されると前記第１励起波長と異なる第４発光波長の光を発光する第４蛍光体と、
前記情報記録領域内に塗布され、前記第２励起波長の励起光が照射されると前記第２励起波長と異なる第５発光波長の光を発光する第５蛍光体と、
前記情報記録領域内に塗布され、第３励起波長の励起光が照射されると前記第３励起波長と異なる第６発光波長の光を発光する第６蛍光体と
をさらに有する前記情報記録コードに対し、
前記情報記録領域に前記第３励起波長の励起光を照射する第３光源と、
前記第１励起波長の励起光の照射により前記第４蛍光体が発する前記第４発光波長の光である第４光と、前記第２励起波長の励起光の照射により前記第５蛍光体が発する前記第５発光波長の光である第５光と、前記第３励起波長の励起光の照射により前記第６蛍光体が発する前記第６発光波長の光である第６光とを受光する第３受光部と
をさらに有し、
前記発光／受光制御部は、
前記第１〜前記第３光源の発光状態を順次切替えて、
前記第１光源の発光時に前記第１受光部の前記第１光の受光データと、前記第２受光部の前記第２光の受光データと、前記第３受光部の前記第４像の受光データとを取込み、
前記第２光源の発光時に前記第２受光部の前記第３光の受光データと、前記第３受光部の前記第５光の受光データとを取込み、
前記第３光源の発光時に前記第３受光部の前記第６光の受光データを取込むように制御し、
前記復号処理部は、
前記第１〜第６光の受光データを復号して前記情報記録領域から６種類の一次元情報を読み出すこと
を特徴とする情報記録コードの検出装置であってもよい。
【００３３】
（２８）上記目的を達成するための本発明の一態様によれば、
上記（１）〜（８）のいずれか一項に記載された情報記録コードと、
上記（１８）〜（２１）のいずれか一項に記載された情報記録コードの検出装置と
を有することを特徴とする情報記録コードの検出システムであってもよい。
【００３４】
（２９）上記目的を達成するための本発明の一態様によれば、
上記（９）〜（１２）のいずれか一項に記載された情報記録コードと、
上記（２２）〜（２５）のいずれか一項に記載された情報記録コードの検出装置と
を有することを特徴とする情報記録コードの検出システムであってもよい。
【００３５】
（３０）上記目的を達成するための本発明の一態様によれば、
上記（１３）に記載された情報記録コードと、
上記（２６）に記載された情報記録コードの検出装置と
を有することを特徴とする情報記録コードの検出システムであってもよい。
【００３６】
（３１）上記目的を達成するための本発明の一態様によれば、
上記（１４）に記載された情報記録コードと、
上記（２７）に記載された情報記録コードの検出装置と
を有することを特徴とする情報記録コードの検出システムであってもよい。
【発明の効果】
【００３７】
本発明によれば、記録できる情報量を格段に増加できる。
【図面の簡単な説明】
【００３８】
【図１】本発明の第１の実施の形態による情報記録コード１について説明する図である。
【図２】本発明の第１の実施の形態による情報記録コード１と比較例に係る情報記録コード１００との差異について説明する図である。
【図３】本発明の第１の実施の形態による第１蛍光体としてのＢａ３ＭｇＳｉ２Ｏ８：Ｅｕ２＋の発光特性を示す図である。
【図４】本発明の第１の実施の形態による第２蛍光体としてのＣａ６Ｓｒ４（Ｓｉ２Ｏ７）３Ｃｌ２：Ｅｕ２＋の発光特性を示す図である。
【図５】本発明の第１の実施の形態による第３蛍光体として用いる蛍光体材料の発光特性を示す図である。図５（ａ）は、第３蛍光体としてのＳｒＳｉ２（Ｏ，Ｃｌ）Ｎ２：Ｅｕ２＋の発光特性を示す図である。図５（ｂ）は、第３蛍光体としてのＣａ２Ｓｉ５Ｎ８：Ｅｕ２＋の発光特性を示す図である。
【図６】本発明の第１の実施の形態による第４蛍光体としてのＹ２Ｏ２Ｓ：Ｅｕ３＋の発光特性を示す図である。
【図７】本発明の第１の実施の形態による第５蛍光体としてのＣａＳ：Ｅｕ２＋の発光特性を示す図である。
【図８】本発明の第１の実施の形態による第６蛍光体の発光特性を示す図である。
【図９】本発明の第１の実施の形態であって、図５（ａ）に示す第３蛍光体と図７に示す第５蛍光体を用いて、両材料を混合して単位セル２０４に塗布した場合の発光スペクトルを示す図である。
【図１０】本発明の第２の実施の形態による情報記録コード１の構成の一例を示す図である。
【図１１】本発明の第２の実施の形態による情報記録コード１の検出装置（検出器１０）の構成を説明するブロック図である。
【図１２】本発明の第２の実施の形態による情報記録コード１の検出装置１０での信号検出処理の流れを示すフローチャートである。
【図１３】本発明の第２の実施の形態による情報記録コード１の作成方法について説明する図である。
【図１４】本発明の第２の実施の形態であって、図１３に示す方法で作成した情報記録コード１の単位セル２０４に塗布された蛍光体に対し、図１１に示す情報記録コード１の検出器１０を用いて図１２のステップＤ５で行う復調処理を示す図である。
【図１５】本発明の第３の実施の形態による情報記録コード１の検出装置（検出器１０）の構成を説明するブロック図である。
【図１６】本発明の第３の実施の形態による情報記録コード１の作成方法の流れを示すフローチャートである。
【図１７】本発明の第４の実施の形態による情報記録コード２の構成の一例を示す図である。
【図１８】本発明の第４の実施の形態による情報記録コード２の検出装置（検出器１０）の構成を説明するブロック図である。
【発明を実施するための形態】
【００３９】
［第１の実施の形態］
本発明の第１の実施の形態による情報記録コードおよびその検出方法について、図１〜図９を用いて説明する。なお、以下の全ての図面においては、理解を容易にするため、各構成要素の寸法や比率などは適宜異ならせて図示している。まず図１を用いて本実施の形態による情報記録コードについて説明する。図１（ａ）は本実施の形態による情報記録コード１の一例を示している。情報記録コード１は、情報記録領域５０を有している。情報記録領域５０は、紙や樹脂フィルム等の情報記録体の所定領域に画定されている。情報記録領域５０内には複数の単位セル２０４が配置されている。本例の情報記録領域５０には、８個の単位セル２０４ａ〜２０４ｈがこの順に左から右に向かって一行に配列されている。
【００４０】
各単位セル２０４内は、１種類または複数種類の蛍光体が塗布されているか、あるいはいずれの蛍光体も塗布されていない状態になっている。蛍光体は、所定波長の励起光が照射されると当該所定波長と異なる波長の光を発光する。以下、励起光の波長を励起波長と称し、励起光の照射で発光する波長を発光波長と称する。本実施の形態では、６種類の蛍光体を用いている。第１蛍光体は、第１励起波長の励起光が照射されると第１励起波長と異なる第１発光波長の光を発光する（以下、第１励起波長と第１発光波長の組を「第１励起発光対」と称する）。第２蛍光体は、第１励起波長の励起光が照射されると第１励起波長と異なる第２発光波長の光を発光する（以下、第１励起波長と第２発光波長の組を「第２励起発光対」と称する）。第３蛍光体は、第２励起波長の励起光が照射されると第２励起波長と異なる第３発光波長の光を発光する（以下、第２励起波長と第３発光波長の組を「第３励起発光対」と称する）。第４蛍光体は、第１励起波長の励起光が照射されると第１励起波長と異なる第４発光波長の光を発光する（以下、第１励起波長と第４発光波長の組を「第４励起発光対」と称する）。第５蛍光体は、第２励起波長の励起光が照射されると第２励起波長と異なる第５発光波長の光を発光する（以下、第２励起波長と第５発光波長の組を「第５励起発光対」と称する）。第６蛍光体は、第３励起波長の励起光が照射されると第３励起波長と異なる第６発光波長の光を発光する（以下、第３励起波長と第６発光波長の組を「第６励起発光対」と称する）。
【００４１】
また、第１蛍光体の第１発光波長は第１励起波長より長く、第２蛍光体の第２発光波長は第１発光波長より長い。また、第２励起波長は第１発光波長と同じかその近傍にあり、第３発光波長は第２発光波長と同じかその近傍にあり、第３励起波長は第２発光波長と同じかその近傍にある。また、第４発光波長は第３発光波長より長く、第５発光波長は第４発光波長と同じかその近傍にあり、第６発光波長は第４発光波長と同じかその近傍にある。なお、第１〜第６蛍光体の具体的な材料等については後程説明する。
【００４２】
また、本例では、第１励起波長の励起光は紫外（ＵＶ）光であり、第２励起波長の励起光は青色光であり、第１発光波長の光は青色であり、第２および第３発光波長の光は緑色であり、第３励起波長の励起光は緑色光であり、第４〜６発光波長の光はいずれも赤色である。従って、励起発光対を励起光と発光色（以下、「励起光−発光色」で表記する）で表すと、第１励起発光対は「ＵＶ光−青色」であり、第２励起発光対は「ＵＶ光−緑色」であり、第３励起発光対は「青色光−緑色」であり、第４励起発光対は「ＵＶ光−赤色」であり、第５励起発光対は「青色光−赤色」であり、第６励起発光対は「緑色光−赤色」である。
【００４３】
ここで、紫外（ＵＶ）光とは３６５ｎｍをピーク波長とする光であり、青色光とは４５０ｎｍをピーク波長とする光、緑色光とは５５５ｎｍをピーク波長とする光、赤色光とは６５０ｎｍをピーク波長とする光であって、それぞれ半値幅が５０ｎｍ程度以下であることが好ましい。ピーク波長は各々３６５ｎｍ、４５０ｎｍ、５５５ｎｍ、６５０ｎｍから±２０ｎｍの範囲内であることが好ましい。また、ＵＶ光のピーク波長は４００ｎｍ未満、青色光のピーク波長は４００〜５００ｎｍ、緑色光のピーク波長は５００ｎｍ〜６００ｎｍ、赤色光のピーク波長は６００ｎｍ〜７００ｎｍであってもよい。
【００４４】
図１（ａ）に示す情報記録コード１の例えば単位セル２０４ａ内に第１励起発光対の第１蛍光体が塗布されている場合には、情報記録コード１にＵＶ光を照射すると単位セル２０４ａは青色発光するので、青色光を検出する受光素子を用いて単位セル２０４ａからの青色発光を検出できる。また、単位セル２０４ａ内に第１励起発光対の第１蛍光体が塗布されていない場合には、情報記録コード１にＵＶ光を照射しても単位セル２０４ａは青色発光しないので、青色光を検出する受光素子は単位セル２０４ａからの青色発光を検出しない。このように、単位セル２０４ａ内の第１蛍光体の有無をＵＶ光照射時の青色光の検出の有無で判断できる。これにより第１蛍光体を塗布した状態を例えばデータ「１」とし、第１蛍光体を塗布しない状態をデータ「０」に対応させることにより単位セル２０４ａに１ビットの情報を記録し、且つ読み出すことができる。
【００４５】
同様に、単位セル２０４ａ内に第２励起発光対の第２蛍光体が塗布されている場合には、情報記録コード１にＵＶ光を照射すると単位セル２０４ａは緑色発光するので、緑色光を検出する受光素子を用いて単位セル２０４ａからの緑色発光を検出できる。また、単位セル２０４ａ内に第２励起発光対の第２蛍光体が塗布されていない場合には、情報記録コード１にＵＶ光を照射しても単位セル２０４ａは緑色発光しないので、緑色光を検出する受光素子は単位セル２０４ａからの緑色発光を検出しない。このように、単位セル２０４ａ内の第２蛍光体の有無をＵＶ光照射時の緑色光の検出の有無で判断できる。これにより第２蛍光体を塗布した状態を例えばデータ「１」とし、第２蛍光体を塗布しない状態をデータ「０」に対応させることにより単位セル２０４ａに１ビットの情報を記録し、且つ読み出すことができる。
【００４６】
同様に、単位セル２０４ａ内に第３励起発光対の第３蛍光体が塗布されている場合には、情報記録コード１に青色光を照射すると単位セル２０４ａは緑色発光するので、緑色光を検出する受光素子を用いて単位セル２０４ａからの緑色発光を検出できる。また、単位セル２０４ａ内に第３励起発光対の第３蛍光体が塗布されていない場合には、情報記録コード１に青色光を照射しても単位セル２０４ａは緑色発光しないので、緑色光を検出する受光素子は単位セル２０４ａからの緑色発光を検出しない。このように、単位セル２０４ａ内の第３蛍光体の有無を青色光照射時の緑色光の検出の有無で判断できる。これにより第３蛍光体を塗布した状態を例えばデータ「１」とし、第３蛍光体を塗布しない状態をデータ「０」に対応させることにより単位セル２０４ａに１ビットの情報を記録し、且つ読み出すことができる。
【００４７】
このように第１励起発光対（「ＵＶ光−青色」）の第１蛍光体と、第２励起発光対（「ＵＶ光−緑色」）の第２蛍光体と、第３励起発光対（「青色光−緑色」）の第３蛍光体を組み合わせて混合して各単位セル２０４に塗布することにより単位セル２０４毎に３ビットの情報を記録した情報記録コード１を作成できる。また、ＵＶ光と青色光の２つの励起光を別々に情報記録コード１に照射することにより、情報記録領域５０内の各単位セル２０４から３ビットの情報を読み出すことができる。
【００４８】
さらに、単位セル２０４ａ内に第４励起発光対の第４蛍光体が塗布されている場合には、情報記録コード１にＵＶ光を照射すると単位セル２０４ａは赤色発光するので、赤色光を検出する受光素子を用いて単位セル２０４ａからの赤色発光を検出できる。また、単位セル２０４ａ内に第４励起発光対の第４蛍光体が塗布されていない場合には、情報記録コード１にＵＶ光を照射しても単位セル２０４ａは赤色発光しないので、赤色光を検出する受光素子は単位セル２０４ａからの赤色発光を検出しない。このように、単位セル２０４ａ内の第４蛍光体の有無をＵＶ光照射時の赤色光の検出の有無で判断できる。これにより第４蛍光体を塗布した状態を例えばデータ「１」とし、第４蛍光体を塗布しない状態をデータ「０」に対応させることにより単位セル２０４ａに１ビットの情報を記録し、且つ読み出すことができる。
【００４９】
同様に、単位セル２０４ａ内に第５励起発光対の第５蛍光体が塗布されている場合には、情報記録コード１に青色光を照射すると単位セル２０４ａは赤色発光するので、赤色光を検出する受光素子を用いて単位セル２０４ａからの赤色発光を検出できる。また、単位セル２０４ａ内に第５励起発光対の第５蛍光体が塗布されていない場合には、情報記録コード１に青色光を照射しても単位セル２０４ａは赤色発光しないので、赤色光を検出する受光素子は単位セル２０４ａからの赤色発光を検出しない。このように、単位セル２０４ａ内の第５蛍光体の有無を青色光照射時の赤色光の検出の有無で判断できる。これにより第５蛍光体を塗布した状態を例えばデータ「１」とし、第５蛍光体を塗布しない状態をデータ「０」に対応させることにより単位セル２０４ａに１ビットの情報を記録し、且つ読み出すことができる。
【００５０】
同様に、単位セル２０４ａ内に第６励起発光対の第６蛍光体が塗布されている場合には、情報記録コード１に緑色光を照射すると単位セル２０４ａは赤色発光するので、赤色光を検出する受光素子を用いて単位セル２０４ａからの赤色発光を検出できる。また、単位セル２０４ａ内に第６励起発光対の第６蛍光体が塗布されていない場合には、情報記録コード１に緑色光を照射しても単位セル２０４ａは赤色発光しないので、赤色光を検出する受光素子は単位セル２０４ａからの赤色発光を検出しない。このように、単位セル２０４ａ内の第６蛍光体の有無を緑色光照射時の赤色光の検出の有無で判断できる。これにより第６蛍光体を塗布した状態を例えばデータ「１」とし、第６蛍光体を塗布しない状態をデータ「０」に対応させることにより単位セル２０４ａに１ビットの情報を記録し、且つ読み出すことができる。
【００５１】
このように第１励起発光対（「ＵＶ光−青色」）の第１蛍光体と、第２励起発光対（「ＵＶ光−緑色」）の第２蛍光体と、第３励起発光対（「青色光−緑色」）の第３蛍光体に加えてさらに第４励起発光対（「ＵＶ光−赤色」）の第の第４蛍光体と、第５励起発光対（「青色光−赤色」）の第５蛍光体と、第６励起発光対（「緑色光−赤色」）の第６蛍光体とを組み合わせて混合して各単位セル２０４に塗布することにより単位セル２０４毎に６ビットの情報を記録した情報記録コード１を作成できる。また、ＵＶ光と青色光と緑色光の３つの励起光を別々に情報記録コード１に照射することにより、情報記録領域５０内の各単位セル２０４から６ビットの情報を読み出すことができる。このように本実施形態によれば、従来の二次元コード等では、白と黒や複数の色のインクを用いて、明暗や色で情報を区別していたが、例えば６種類の励起発光対の蛍光体を塗布することにより情報を区別することができる。
【００５２】
図１（ａ）に示す例では、第１蛍光体〜第６蛍光体のうち、第１蛍光体と第５蛍光体と第６蛍光体の混合物が単位セル２０４ａに塗布されている。単位セル２０４ｂには第２蛍光体だけが塗布されている。単位セル２０４ｃには第４蛍光体と第５蛍光体の混合物が塗布されている。単位セル２０４ｄには第３蛍光体と第６蛍光体の混合物が塗布されている。単位セル２０４ｅには第１蛍光体と第５蛍光体と第６蛍光体の混合物が塗布されている。単位セル２０４ｆには第４蛍光体と第５蛍光体の混合物が塗布されている。単位セル２０４ｇには第３蛍光体だけが塗布されている。単位セル２０４ｈには第２蛍光体と第３蛍光体の混合物が塗布されている。
【００５３】
また、各蛍光体の材料の濃度に比例して発光強度が変化するように、各蛍光体の塗布膜厚は十分に薄くするのが好ましい。例えば、各蛍光体の塗布膜厚は、１０μｍ程度以上３０μｍ程度以下が望ましい。
【００５４】
図１（ｂ）は、図１（ａ）に示す情報記録コード１の情報記録領域５０にＵＶ光を照射したときの各単位セル２０４ａ〜２０４ｈでの発光を示している。単位セル２０４ａはＵＶ光を励起光として青色発光する第１蛍光体が混合塗布されているので青色に発光する。単位セル２０４ａに含まれる第５蛍光体と第６蛍光体はＵＶ光では励起されないので発光しない。また、ＵＶ光を励起光として発光する第２蛍光体と第４蛍光体も含まれていないので緑色および赤色の発光成分はない。これらの発光を青色用受光素子、緑色用受光素子、赤色用受光素子で受光することにより、青色発光をビット１、緑色発光をビット２、赤色発光をビット３として（ビット１，ビット２，ビット３）のように表記し、各ビットで発光をデータ「１」とし非発光をデータ「０」とすると、単位セル２０４ａで３ビットの情報（１，０，０）が得られる。
【００５５】
同様にして、単位セル２０４ｂの領域は緑色に発光しており、３ビットの情報（０，１，０）が得られる。単位セル２０４ｃの領域は赤色に発光しており、３ビットの情報（０，０，１）が得られる。単位セル２０４ｄの領域はいずれの発光もないので、３ビットの情報（０，０，０）が得られる。単位セル２０４ｅの領域は青色に発光しており、３ビットの情報（１，０，０）が得られる。単位セル２０４ｆの領域は赤色に発光しており、３ビットの情報（０，０，１）が得られる。単位セル２０４ｇの領域は発光していないので、３ビットの情報（０，０，０）が得られる。単位セル２０４ｈの領域は緑色に発光しており、３ビットの情報（０，１，０）が得られる。
【００５６】
図１（ｃ）は、図１（ａ）に示す情報記録コード１の情報記録領域５０に青色光を照射したときの各単位セル２０４ａ〜２０４ｈでの発光を示している。単位セル２０４ａは青色光を励起光として赤色発光する第５蛍光体が混合塗布されているので赤色に発光する。単位セル２０４ａに含まれる第１蛍光体と第６蛍光体は青色光では励起されないので発光しない。また、青色光を励起光として発光する第３蛍光体も含まれていないので緑色の発光成分はない。これらの発光を緑色用受光素子、赤色用受光素子で受光することにより、緑色発光をビット１、赤色発光をビット２として（ビット１，ビット２）のように表記し、各ビットで発光をデータ「１」とし非発光をデータ「０」とすると、単位セル２０４ａで２ビットの情報（０，１）が得られる。
【００５７】
同様にして、単位セル２０４ｂの領域は発光していないので、２ビットの情報（０，０）が得られる。単位セル２０４ｃの領域は赤色に発光しており、２ビットの情報（０，１）が得られる。単位セル２０４ｄの領域は緑色に発光しており、２ビットの情報（１，０）が得られる。単位セル２０４ｅの領域は赤色に発光しており、２ビットの情報（０，１）が得られる。単位セル２０４ｆの領域は赤色に発光しており、２ビットの情報（０，１）が得られる。単位セル２０４ｇの領域は緑色に発光しており、２ビットの情報（１，０）が得られる。単位セル２０４ｈの領域は緑色に発光しており、２ビットの情報（１，０）が得られる。
【００５８】
図１（ｄ）は、図１（ａ）に示す情報記録コード１の情報記録領域５０に緑色光を照射したときの各単位セル２０４ａ〜２０４ｈでの発光を示している。単位セル２０４ａは緑色光を励起光として赤色発光する第６蛍光体が混合塗布されているので赤色に発光する。単位セル２０４ａに含まれる第１蛍光体と第５蛍光体は緑色光では励起されないので発光しない。これらの発光を赤色用受光素子で受光することにより、赤色発光をビット１として（ビット１）のように表記し、各ビットで発光をデータ「１」とし非発光をデータ「０」とすると、単位セル２０４ａで１ビットの情報（１）が得られる。
【００５９】
同様にして、単位セル２０４ｂの領域は発光していないので、１ビットの情報（０）が得られる。単位セル２０４ｃの領域は発光していないので、１ビットの情報（０）が得られる。単位セル２０４ｄの領域は赤色に発光しており、１ビットの情報（１）が得られる。単位セル２０４ｅの領域は赤色に発光しており、１ビットの情報（１）が得られる。単位セル２０４ｆの領域は発光していないので、１ビットの情報（０）が得られる。単位セル２０４ｇの領域は発光していないので、１ビットの情報（０）が得られる。単位セル２０４ｈの領域は発光していないので、１ビットの情報（０）が得られる。
【００６０】
このようにして、本実施の形態の情報記録コード１によれば、ＵＶ光を励起光として発光する第１蛍光体と第２蛍光体と第４蛍光体とで単位セル当り３ビットの情報が記録でき、青色光を励起光として発光する第３蛍光体と第５蛍光体とで２ビットの情報が記録でき、緑色光を励起光とする第６蛍光体で１ビットの情報を記録できるので単位セル当り合計６ビットの情報を記録できる。以上説明した実施形態では、図１に示すように情報記録コード１の情報記録領域５０には、８個の単位セル２０４ａ〜２０４ｈがこの順に左から右に向かって一行に配列されており、８ビットを１バイトとすると全体で６バイトの情報を記録することができる。
【００６１】
本実施形態の変形例として、情報記録コード１が単位セル１個だけを含む情報記録領域５０を有するようにしてもよい。単位セルに第１励起発光対（「ＵＶ光−青色」）の第１蛍光体と、第２励起発光対（「ＵＶ光−緑色」）の第２蛍光体と、第３励起発光対（「青色光−緑色」）の第３蛍光体と、第４励起発光対（「ＵＶ光−赤色」）の第の第４蛍光体と、第５励起発光対（「青色光−赤色」）の第５蛍光体と、第６励起発光対（「緑色光−赤色」）の第６蛍光体とを組み合わせて混合して単位セルに塗布することにより単位セルで６ビットの情報を記録した情報記録コード１を作成できる。当該情報記録コード１の情報記録領域５０から６つの第１〜大６励起発光対各々に対応する第１〜第６蛍光体が含まれている否かを検出すれば、２の６乗つまり６４通りの情報から１つを識別可能な６ビットの情報記録およびその読み出しを行うことができる。さらに、励起発光対の数を増やせば記録可能なビット数も増加させることができる。本変形例によれば、極めて小さい面積に６ビットあるいはそれ以上の情報を記録し、読み出すことができる。
【００６２】
図１（ｅ）は、比較例としての従来の情報記録コード１００を示している。情報記録コード１００は、情報記録領域１５０を有している。情報記録領域１５０内には複数の単位セル１２０４が配置されている。本例の情報記録領域１５０には、８個の単位セル１２０４ａ〜１２０４ｈがこの順に左から右に向かって一行に配列されている。
【００６３】
各単位セル１２０４内は、１種類または複数種類の色のインクが塗布されているか、あるいはいずれのインクも塗布されていない状態になっている。各インクは、例えば白色光が照射されると所定の波長の光を反射する。色の三原色として青、緑、赤の３種類のインクを用いている。このため、比較例に係る情報記録コード１００では、単位セル１２０４当り３ビットの情報を記録し、且つ読み出すことができる。
【００６４】
図２は、本実施の形態による情報記録コード１と比較例に係る情報記録コード１００との差異について説明する図である。図２（ａ）は、本実施形態による情報記録コード１で記録できる情報量について示している。図２（ａ）において、縦方向は励起光の種類を表し、横方向は蛍光体の発光色を表している。図中で升目状に区画された１区画は１ビットの記憶量を表しており、薄墨色に塗り潰された区画は実現される記憶量を視覚的に表している。図２（ａ）に示すように、本実施の形態による情報記録コード１では、励起光の数が２つ（例えば、ＵＶ光と青色光）であって、発光色の数が２つ（青色と緑色）の場合は、３ビットの情報を記録でき、励起光の数が３つ（例えば、ＵＶ光と青色光と緑色光）であって、発光色の数が３つ（青色と緑色と赤色）の場合は、６ビットの情報を記録できる。励起光の数をｘとし、発光色の数をｙとすると、記憶できる情報量αは、図２（ａ）からも明らかなように、α＞（１／２）・ｘ・ｙとなる。つまり、本実施の形態による情報記録コード１によれば、記憶できる情報量は励起光数ｘと発光色数ｙとの乗算（ｘ＝ｙなら二乗）で増加させることができる。このため、励起光に赤色光を追加して、赤色光より長い発光波長の蛍光体を追加すれば、単位セル当り１０ビット以上の情報を記憶させることも可能である。
【００６５】
図２（ｂ）は、比較例に係る情報記録コード１００で記録できる情報量について示している。縦方向と横方向および升目の意味は図２（ａ）と同一である。図２（ｂ）に示すように、比較例に係る情報記録コードでは、インクの色を増やすことができれば記録できる情報量を大きくすることが可能である。照射光の数は１つ（白色光）であり、インクからの反射光の色の数をｚとすると、記憶できる情報量βは、図２（ｂ）からも明らかなように、β＝ｚとなる。つまり、比較例による情報記録コード１００では、記憶できる情報量は反射光の色の数と同じであり両者は比例関係にある。
【００６６】
図２（ｃ）は、単位セル当りに記憶できるビット数を縦軸にとり、検出光の色数（情報記録コード１の場合は、発光光の色数であり、情報記録コード１００の場合は反射光の色数である。）を横軸にとって、本実施形態と比較例とを対比して示している。図中、実線の曲線が本実施形態に係る情報記録コード１での情報量の増加を示し、破線の直線が比較例に係る情報記録コード１００での情報量の増加を示している。図２（ｃ）から明らかなように、検出光の色数を増加させるに従い、本実施形態による情報記録コード１の方が記憶量を飛躍的に増大させることができることが分かる。
【００６７】
次に、第１〜第６蛍光体の具体的な材料等について図３〜図９を用いて説明する。本実施の形態では、第１蛍光体としてＢａ３ＭｇＳｉ２Ｏ８：Ｅｕ２＋を用い、第２蛍光体としてＣａ６Ｓｒ４（Ｓｉ２Ｏ７）３Ｃｌ２：Ｅｕ２＋を用い、第３蛍光体としてＳｒＳｉ２（Ｏ，Ｃｌ）Ｎ２：Ｅｕ２＋を用い、第４蛍光体としてＹ２Ｏ２Ｓ：Ｅｕ３＋を用い、第５蛍光体としてＣａＳ：Ｅｕ２＋を用い、第６蛍光体としてＡｌｅｘａ  Ｆｌｕｏｒ  ５９４（登録商標）を用いている。なお、第３蛍光体としてＣａ２Ｓｉ５Ｎ８：Ｅｕ２＋を用いてもよい。また、第５蛍光体としてＢａ２Ｓｉ５Ｎ８：Ｅｕ２＋を用いてもよい。これらの蛍光体を用いることにより、実用に耐える発光強度が得られる励起発光対を得ることができる。
【００６８】
図３は、第１蛍光体としてのＢａ３ＭｇＳｉ２Ｏ８：Ｅｕ２＋の発光特性（出典：蛍光体同学会編，「蛍光体ハンドブック」，オーム社，（１９８７））を示している。図３（ａ）は、縦軸に相対発光効率を表し、横軸に波長（ｎｍ）を表している。図３（ａ）に破線で示す曲線（ｂ）がＢａ３ＭｇＳｉ２Ｏ８：Ｅｕ２＋の励起スペクトルを示している。同図から明らかなように、本実施形態のＵＶ光（波長：３６５ｎｍ）を励起光としてＢａ３ＭｇＳｉ２Ｏ８：Ｅｕ２＋について約８５％の相対発光効率を得られることが分かる。図３（ｂ）は、縦軸に相対エネルギーを表し、横軸に波長（ｎｍ）を表している。図３（ｂ）に一点鎖線で示す曲線（ｂ）がＢａ３ＭｇＳｉ２Ｏ８：Ｅｕ２＋の発光スペクトルを示している。同図から明らかなように、Ｂａ３ＭｇＳｉ２Ｏ８：Ｅｕ２＋の発光スペクトルのピーク波長として４３５ｎｍが得られている。このように、Ｂａ３ＭｇＳｉ２Ｏ８：Ｅｕ２＋は第１励起発光対（「ＵＶ光−青色」）の第１蛍光体として十分な発光特性を備えている。
【００６９】
図４は、第２蛍光体としてのＣａ６Ｓｒ４（Ｓｉ２Ｏ７）３Ｃｌ２：Ｅｕ２＋の発光特性（出典：Jianfeng Sun, Wenlin Zhang, Youmin Shi, Dezhong Shen, and Jiayue Sun, Journal of The Electrochemical Society, 159, J5 (2012)）を示している。図４は、縦軸に光強度（任意単位）を表し、横軸に波長（ｎｍ）を表している。図４に細い実線で示す曲線ａがＣａ６Ｓｒ４（Ｓｉ２Ｏ７）３Ｃｌ２：Ｅｕ２＋の励起スペクトルを示している。同図から明らかなように、本実施形態のＵＶ光（波長：３６５ｎｍ）を励起光として高い発光強度が得られることが分かる。また、図４に太い実線で示す曲線ｂがＣａ６Ｓｒ４（Ｓｉ２Ｏ７）３Ｃｌ２：Ｅｕ２＋の発光スペクトルを示している。同図から明らかなように、Ｃａ６Ｓｒ４（Ｓｉ２Ｏ７）３Ｃｌ２：Ｅｕ２＋の発光スペクトルのピーク波長として５００ｎｍが得られている。このように、Ｃａ６Ｓｒ４（Ｓｉ２Ｏ７）３Ｃｌ２：Ｅｕ２＋は第２励起発光対（「ＵＶ光−緑色」）の第２蛍光体として十分な発光特性を備えている。
【００７０】
図５は、第３蛍光体として用いる蛍光体材料の発光特性を示している。図５（ａ）は、第３蛍光体としてのＳｒＳｉ２（Ｏ，Ｃｌ）Ｎ２：Ｅｕ２＋（根本特殊化学株式会社製）の発光特性を示している。図５（ａ）は、縦軸にＰＬ（フォトルミネッセンス）強度（任意単位）を表し、横軸に波長（ｎｍ）を表している。図５（ａ）に示す曲線ａがＳｒＳｉ２（Ｏ，Ｃｌ）Ｎ２：Ｅｕ２＋の励起スペクトルを示している。同図から明らかなように、本実施形態の青色光（波長：４５０ｎｍ）を励起光としてＳｒＳｉ２（Ｏ，Ｃｌ）Ｎ２：Ｅｕ２＋の発光波長が５４３ｎｍにおいて高いＰＬ強度が得られることが分かる。図５（ａ）に示す曲線ｂがＳｒＳｉ２（Ｏ，Ｃｌ）Ｎ２：Ｅｕ２＋の発光スペクトルを示している。同図から明らかなように、青色光（波長：４５０ｎｍ）を励起光としてＳｒＳｉ２（Ｏ，Ｃｌ）Ｎ２：Ｅｕ２＋の発光スペクトルのピーク波長として５４３ｎｍが得られている。このように、ＳｒＳｉ２（Ｏ，Ｃｌ）Ｎ２：Ｅｕ２＋は第３励起発光対（「青色光−緑色」）の第３蛍光体として十分な発光特性を備えている。
【００７１】
図５（ｂ）は、第３蛍光体としてのＣａ２Ｓｉ５Ｎ８：Ｅｕ２＋の発光特性（出典：Y.Q. Li, J.E.J. van Steen, J.W.H. van Krevel, G. Botty, A.C.A. Delsing, F.J. DiSalvo, G. de With, H.T. Hintzen, Journal of Alloys and Compounds 417, 273, (2006) ）を示している。図５（ｂ）はＣａ２Ｓｉ５Ｎ８：Ｅｕ２＋の発光スペクトルを示すグラフである。縦軸に発光強度（任意単位）を表し、横軸に波長（ｎｍ）を表している。また、図５（ｂ）のグラフ内の左上には、励起スペクトルを示すグラフが描かれており、縦軸に励起強度（任意単位）を表し、横軸に波長（ｎｍ）を表している。なお、図中のｘは賦活剤のＥｕの量を示している。本実施形態の青色光（波長：４５０ｎｍ）を励起光としてＣａ２Ｓｉ５Ｎ８：Ｅｕ２＋に十分高い励起強度が得られることが分かる。また、青色光（波長：４５０ｎｍ）を励起光としてＣａ２Ｓｉ５Ｎ８：Ｅｕ２＋の発光スペクトルのピーク波長として６１０ｎｍが得られている。このように、Ｃａ２Ｓｉ５Ｎ８：Ｅｕ２＋は第３励起発光対（「青色光−緑色」）の第３蛍光体として十分な発光特性を備えている。
【００７２】
図６は、第４蛍光体としてのＹ２Ｏ２Ｓ：Ｅｕ３＋の発光特性（出典：Sang-Hyeon Park, Sun-il Mho, and Kyu-Wang Lee, Bull. Korean. Chem. Soc. 17, 487, (1996) ）を示している。図６（ａ）は、縦軸に蛍光強度を表し、横軸に励起波長（ｎｍ）を表している。図６（ａ）に示す曲線がＹ２Ｏ２Ｓ：Ｅｕ３＋の励起スペクトルを示している。同図から明らかなように、本実施形態のＵＶ光（波長：３６５ｎｍ）を励起光としてＹ２Ｏ２Ｓ：Ｅｕ３＋について十分高い蛍光強度を得られることが分かる。図６（ｂ）は、縦軸に蛍光強度を表し、横軸に蛍光波長（ｎｍ）を表している。図６（ｂ）に示す曲線がＹ２Ｏ２Ｓ：Ｅｕ３＋の発光スペクトルを示している。同図から明らかなように、Ｙ２Ｏ２Ｓ：Ｅｕ３＋の発光スペクトルのピーク波長として約６２０ｎｍが得られている。このように、Ｙ２Ｏ２Ｓ：Ｅｕ３＋は第１励起発光対（「ＵＶ光−赤色」）の第４蛍光体として十分な発光特性を備えている。
【００７３】
図７は、第５蛍光体としてのＣａＳ：Ｅｕ２＋の発光特性（出典：蛍光体同学会編,「蛍光体ハンドブック」, オーム社, (1987)）を示している。図７は、縦軸にＰＬ（フォトルミネッセンス）強度（任意単位）を表し、横軸に波長（ｎｍ）を表している。図７に示す曲線ａがＣａＳ：Ｅｕ２＋の励起スペクトルを示している。同図から明らかなように、本実施形態の青色光（波長：４５０ｎｍ）を励起光としてＣａＳ：Ｅｕ２に十分高いＰＬ強度が得られることが分かる。図７に示す曲線ｂがＣａＳ：Ｅｕ２＋の発光スペクトルを示している。同図から明らかなように、青色光（波長：４５０ｎｍ）を励起光としてＣａＳ：Ｅｕ２＋の発光スペクトルのピーク波長として６５２ｎｍが得られている。このように、ＣａＳ：Ｅｕ２＋は第５励起発光対（「青色光−赤色」）の第５蛍光体として十分な発光特性を備えている。
【００７４】
図８は、第６蛍光体の発光特性を示している。第６蛍光体は、ＭＭＡ（Ｍｅｔｈｙｌ  ｍｅｔｈａｃｒｙｌａｔｅ）中に色素「Ａｌｅｘａ  Ｆｌｕｏｒ  ５９４（Ｌｉｆｅ  Ｔｅｃｈｎｏｌｏｇｉｅｓ社の登録商標）」を分散し、ＵＶ光を照射して無機蛍光体と同様の粉にして作成している。図８は、左縦軸に吸収の程度を表し、右縦軸に蛍光発光の程度を表し、横軸に波長（ｎｍ）を表している。図８に示す曲線ａが「Ａｌｅｘａ  Ｆｌｕｏｒ  ５９４」の励起スペクトルを示している。同図から明らかなように、本実施形態の緑色光（波長：５５５ｎｍ）を励起光として「Ａｌｅｘａ  Ｆｌｕｏｒ  ５９４」に十分高いＰＬ強度が得られることが分かる。図８に示す曲線ｂが「Ａｌｅｘａ  Ｆｌｕｏｒ  ５９４」の発光スペクトルを示している。同図から明らかなように、緑色光（波長：５５５ｎｍ）を励起光として「Ａｌｅｘａ  Ｆｌｕｏｒ  ５９４」の発光スペクトルのピーク波長として約６３０ｎｍが得られている。このように、「Ａｌｅｘａ  Ｆｌｕｏｒ  ５９４」は第６励起発光対（「緑色光−赤色」）の第６蛍光体として十分な発光特性を備えている。
なお、Alexa Fluor 594（Life Technologies社）については、http://www.lifetechnologies.com/jp/ja/home/references/molecular-probes-the-handbook/tables/fluorescence-quantum-yields-and-lifetimes-for-alexa-fluor-dyes.html
http://www.mobitec.com/de/products/bio/07_fluores_tec/index.php?alexa.html
を参照のこと。
【００７５】
図９は、図５（ａ）に示す第３蛍光体と図７に示す第５蛍光体を用いて、両材料を混合して単位セル２０４に塗布した場合の発光スペクトルを示している。図９（ａ）〜（ｄ）は、発光スペクトルを示すグラフであり、縦軸にＰＬ（フォトルミネッセンス）強度（任意単位）を表し、横軸に波長（ｎｍ）を表している。
【００７６】
図９（ａ）は、第３励起発光対（「青色光−緑色」）の第３蛍光体であるＳｒＳｉ２（Ｏ，Ｃｌ）Ｎ２：Ｅｕ２＋の単独の紛体の試料を記録媒体に塗布した後、波長が４５０ｎｍの青色光で励起したときの発光スペクトルを観測した結果を示している。ＳｒＳｉ２（Ｏ，Ｃｌ）Ｎ２：Ｅｕ２＋の発光スペクトルのピーク波長として５４３ｎｍが得られている。
【００７７】
図９（ｂ）は、第５励起発光対（「青色光−赤色」）の第５蛍光体であるＣａＳ：Ｅｕ２＋の単独の紛体の試料を記録媒体に塗布した後、波長が４５０ｎｍの青色光で励起したときの発光スペクトルを観測した結果を示している。ＣａＳ：Ｅｕ２＋の発光スペクトルのピーク波長として６５２ｎｍが得られている。
【００７８】
図９（ｃ）は、第３蛍光体であるＳｒＳｉ２（Ｏ，Ｃｌ）Ｎ２：Ｅｕ２＋と第５蛍光体であるＣａＳ：Ｅｕ２＋を重量比で１：１で粉体のまま混合した試料を記録媒体に塗布した後、波長が４５０ｎｍの青色光で励起したときの発光スペクトルを観測した結果を示している。ＳｒＳｉ２（Ｏ，Ｃｌ）Ｎ２：Ｅｕ２＋の発光スペクトルのピーク波長として５４３ｎｍが得られている。ＣａＳ：Ｅｕ２＋の発光スペクトルのピーク波長として６５２ｎｍが得られている。
【００７９】
図９（ｄ）は、第３蛍光体であるＳｒＳｉ２（Ｏ，Ｃｌ）Ｎ２：Ｅｕ２＋と第５蛍光体であるＣａＳ：Ｅｕ２＋を重量比で２：１で粉体のまま混合した試料を記録媒体に塗布した後、波長が４５０ｎｍの青色光で励起したときの発光スペクトルを観測した結果を示している。ＳｒＳｉ２（Ｏ，Ｃｌ）Ｎ２：Ｅｕ２＋の発光スペクトルのピーク波長として５４３ｎｍが得られている。ＣａＳ：Ｅｕ２＋の発光スペクトルのピーク波長として６５２ｎｍが得られている。
【００８０】
図９（ｃ）、（ｄ）に示すように、２種類の蛍光体の混合比に応じて発光スペクトルの形状が異なる。このため、発光スペクトルを観測することで、単位セルに記録された情報を検出できる。本例では緑色（波長が５４０ｎｍ付近）と赤（波長が６５０ｎｍ付近）の２点の発光強度を観測するだけで図９（ａ）〜（ｄ）の４つの発光スペクトルを区別できる。このことから、複数の励起発光対に対応する各蛍光体を同一の単位セルに塗布しても各蛍光体の発光強度を独立して検出できることが分かる。
【００８１】
［第２の実施の形態］
次に、本発明の第２の実施の形態による情報記録コード、その検出装置、およびその検出システムについて図１０〜図１４を用いて説明する。図１０は、本実施の形態による情報記録コード１の構成の一例を示している。情報記録コード１の情報記録領域５０内方には、所定幅の正方形形状の単位セル２０４がマトリクス状に複数配置されている。本例の情報記録コード１は、従来のＱＲコードと類似の情報記録領域を有している。従来のＱＲコードは、長方形または正方形の情報記録領域を有しており、当該情報記録領域の左上角、左下角、および右上角に特定パターンが配置されている（ＪＩＳ  Ｘ  ０５１０：２００４参照）。特定パターンが左上角、左下角、および右上角に位置するようにＱＲコードを回転することで、正しい方向にＱＲコードの読み取り画像を補正できるようになっている。本実施形態でも同じ原理を用いて情報記録コード１の正しい方向を検出するようにしている。従って、本例の情報記録コード１は、長方形または正方形の情報記録領域５０を有しており、情報記録領域５０の左上角、左下角、および右上角に特定パターン２０２が配置されている。特定パターン２０２が左上角、左下角、および右上角に位置するように情報記録コード１を回転することで、正しい方向に情報記録コード１の読み取り画像を補正できるようになっている。
【００８２】
特定パターン２０２は、情報記録領域５０の角部輪郭に隣接２辺が一致する正方形外形を有している。特定パターン２０２は、図示において、一辺が７個の単位セル２０４分の長さの黒色の正方形状のサブパターン２０２ａと、一辺が５個の単位セル２０４分の長さの白色の正方形状のサブパターン２０２ｂと、一辺が３個の単位セル２０４分の長さで黒色で塗り潰されたサブパターン２０２ｃとで構成されている。サブパターン２０２ａ、２０２ｂ、２０２ｃは各パターンの中心を一致させて対応する各辺が平行になるように配置されている。
【００８３】
また、従来のＱＲコードでは、特定パターンは白と黒のインクを塗布することで作成されるが、本実施の形態による情報記録コード１の特定パターン２０２のうちのサブパターン２０２ｂには、第１の実施の形態で説明した第１励起発光対（「ＵＶ光−青色」）の第１蛍光体と、第２励起発光対（「ＵＶ光−緑色」）の第２蛍光体と、第３励起発光対（「青色光−緑色」）の第３蛍光体と、第４励起発光対（「ＵＶ光−赤色」）の第の第４蛍光体と、第５励起発光対（「青色光−赤色」）の第５蛍光体と、第６励起発光対（「緑色光−赤色」）の第６蛍光体の全てが所定の濃度で塗布されている。一方、サブパターン２０２ａとサブパターン２０２ｃにはいずれの蛍光体も塗布されていない。
【００８４】
図１０の黒色部分を発光強度「０」とし白色部分を発光強度「１」として、特定パターン２０２を例えばその中心を通る直線上で走査すると、「０１０００１０」のデータが検出される。これにより３カ所の特定パターン２０２の位置を検出できるので、情報記録領域５０の正しい読み取り方向を特定することができる。６種類全ての励起発光対の蛍光体で特定パターン２０２は検出可能だが、少なくとも１つの励起発光対の蛍光体に対して特定パターン２０２を検出すれば、３カ所の特定パターン２０２の位置を検出できる。
【００８５】
図１１は、本実施の形態による情報記録コード１の検出装置（検出器１０）の構成を説明するブロック図である。情報記録コード１の検出器１０は、情報記録コード１の情報記録領域５０に励起光を照射する光源部１３を有している。光源には、第１励起波長の励起光としてのＵＶ光を射出する第１光源としての紫外ＬＥＤ１３ＵＶと、第２励起波長の励起光としての青色光を射出する第２光源としての青色ＬＥＤ１３Ｂと、第３励起波長の励起光としての緑色光を射出する第３光源としての緑色ＬＥＤ１３Ｇとが設けられている。
【００８６】
紫外ＬＥＤ１３ＵＶとして、ＧａＮ系のＬＥＤを用いることができる。また、青色ＬＥＤ１３Ｂとして、ＩｎＧａＮ系のＬＥＤを用いることができる。また、緑色ＬＥＤ１３Ｇとして、ＩｎＧａＮ系のＬＥＤを用いることができる。また、有機ＥＬ素子、有機ＥＬレーザー、有機ＥＬ蛍光灯を光源部１３に用いてもよい。さらに、光源部１３としてこれら以外の光源を用いてもよい。
【００８７】
ここで、紫外光とは３６５ｎｍをピーク波長とする光であり、青色光とは４５０ｎｍをピーク波長とする光、緑色光とは５５５ｎｍをピーク波長とする光であって、それぞれ半値幅が５０ｎｍ程度以下であることが好ましい。ピーク波長は各々３６５ｎｍ、４５０ｎｍ、及び５５５ｎｍから±２０ｎｍの範囲内であることが好ましい。また、ＵＶ光のピーク波長は４００ｎｍ未満、青色光のピーク波長は４００〜５００ｎｍ、緑色光のピーク波長は５００ｎｍ〜６００ｎｍ、赤色光のピーク波長は６００ｎｍ〜７００ｎｍであってもよい。
【００８８】
情報記録コード１の検出器１０は、情報記録コード１の情報記録領域５０に光源部１３から照射された励起光により、情報記録領域５０内に塗布された蛍光体が発する光の像を撮像する撮像素子部１９を有している。撮像素子部１９に至る光路上には、情報記録コード１の情報記録領域５０の像を正確に撮像するための光学系３９が配置されている。
【００８９】
撮像素子部１９内には、３種類の固体撮像素子が配置されている。第１撮像素子としての青色用ＣＣＤ（Ｃｈａｒｇｅ  Ｃｏｕｐｌｅｄ  Ｄｅｖｉｃｅ）１９Ｂは、第１励起波長の励起光としてのＵＶ光の照射により第１蛍光体が発する第１発光波長の光（青色光）の像である第１像（第１蛍光体の存在位置を示す画像）を撮像する。撮像素子としてＣＣＤを用いる場合を示したが、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を用いてもよいし、他の撮像素子を用いてもよい。
【００９０】
第２撮像素子としての緑色用ＣＣＤ１９Ｇは、第１励起波長の励起光としてのＵＶ光の照射により第２蛍光体が発する第２発光波長の光（緑色光）の像である第２像（第２蛍光体の存在位置を示す画像）と、第２励起波長の励起光としての青色光の照射により第３蛍光体が発する第３発光波長の光（緑色光）の像である第３像（第３蛍光体の存在位置を示す画像）とを撮像する。
【００９１】
第３撮像素子としての赤色用ＣＣＤ１９Ｒは、第１励起波長の励起光としてのＵＶ光の照射により第４蛍光体が発する第４発光波長の光（赤色光）の像である第４像（第４蛍光体の存在位置を示す画像）と、第２励起波長の励起光としての青色光の照射により第５蛍光体が発する第５発光波長の光（赤色光）の像である第５像（第５蛍光体の存在位置を示す画像）と、第３励起波長の励起光としての緑色光の照射により第６蛍光体が発する第６発光波長の光（赤色光）の像である第６像（第６蛍光体の存在位置を示す画像）とを撮像する。
【００９２】
また、情報記録コード１の検出器１０は、光源部１３と撮像素子部１９とを制御する発光／撮像制御部１１を有している。発光／撮像制御部１１は、発光部１３に対して紫外ＬＥＤ１３ＵＶと青色ＬＥＤ１３Ｂと緑色ＬＥＤ１３Ｇの発光状態を順次切替える制御を行う。具体的には、紫外ＬＥＤ１３ＵＶ、青色ＬＥＤ１３Ｂ、および緑色ＬＥＤ１３Ｇが、例えば１００ｍｓｅｃ．の間隔で順に例えば１００ｍｓｅｃ．だけ発光するように制御する。なお、各ＬＥＤの発光時間や発光間隔、あるいは発光の順序は種々変更が可能である。
【００９３】
また、発光／撮像制御部１１は、撮像素子部１９に対して光源部１３での発光開始に同期させて各ＣＣＤによる撮像を開始させる制御を行う。具体的には、紫外ＬＥＤ１３ＵＶの発光に同期させて、青色用ＣＣＤ１９Ｂで第１像の画像データを取込み、緑色用ＣＣＤ１９Ｇで第２像の画像データを取込み、赤色用ＣＣＤ１９Ｒで第４像の画像データを取込むように制御する。また、青色ＬＥＤ１３Ｂの発光に同期させて、緑色用ＣＣＤ１９Ｇで第３像の画像データを取込み、赤色用ＣＣＤ１９Ｒで第５像の画像データを取込むように制御する。また、緑色ＬＥＤ１３Ｇの発光に同期させて、赤色用ＣＣＤ１９Ｒで第６像の画像データを取込むように制御する。
【００９４】
また、情報記録コード１の検出器１０は、第１〜第６像の画像データを復号して単位セル２０４ごとに少なくとも６ビット（本実施形態では１２ビット）の情報を読み出す復号処理部２０を有している。復号処理部２０は、青色用ＣＣＤ１９Ｂで撮像したアナログ画像データをデジタル画像データに変換するＡ／Ｄ（アナログ／デジタル）変換部２１と、緑色用ＣＣＤ１９Ｇで撮像したアナログ画像データをデジタル画像データに変換するＡ／Ｄ変換部２３と、赤色用ＣＣＤ１９Ｒで撮像したアナログ画像データをデジタル画像データに変換するＡ／Ｄ変換部２５とを有している。各Ａ／Ｄ変換部２１、２３、２５の分解能は例えば６ビットである。
【００９５】
復号処理部２０は、各Ａ／Ｄ変換部２１、２３、２５でデジタル信号に変換された画像データが入力される特定パターン検出部２７を有している。特定パターン検出部２７では、入力された画像データから、情報記録コード１の情報記録領域５０内に特定パターン２０２が記録されている場合には特定パターン２０２の位置を検出する。
【００９６】
また、復号処理部２０は、基準強度検出部２９を有している。基準強度検出部２９には特定パターン検出部２７で検出された特定パターン２０２の位置情報と、特定パターン２０２の画像データとが特定パターン検出部２７から入力される。基準強度検出部２９では、特定パターン２０２の位置情報に基づいて特定パターン２０２の画像データから各色の基準強度データを算出する。
【００９７】
また、復号処理部２０は、青色用ＣＣＤ１９Ｂで撮像されてデジタル化された青色画像データと、基準強度検出部２９で検出された青色基準強度データとが入力される青色復調部３１を有している。青色復調部３１では、青色基準強度データに基づいて青色画像データの強度を２ビットデータとして復調する。また、復号処理部２０は、緑色用ＣＣＤ１９Ｇで撮像されてデジタル化された画像データと、基準強度検出部２９で検出された緑色基準強度データとが入力される緑色復調部３３を有している。緑色復調部３３では、緑色基準強度データに基づいて緑色画像データの強度を２ビットデータとして復調する。また、復号処理部２０は、赤色用ＣＣＤ１９Ｒで撮像されてデジタル化された画像データと、基準強度検出部２９で検出された赤色基準強度データとが入力される赤色復調部３５を有している。赤色復調部３５では、赤色基準強度データに基づいて赤色画像データの強度を２ビットデータとして復調する。
【００９８】
また、復号処理部２０は、各色の復調部３１、３３、３５で復調されたビットデータの誤り訂正を行う誤り訂正復号部３７を有している。
【００９９】
図１２は、本実施の形態による情報記録コード１の検出装置１０での信号検出処理の流れを示すフローチャートである。図１２に示すフローは、「ＬＥＤの色数のループ」の繰り返し処理の中に「ＣＣＤ検出色数（ＬＥＤ発光色より長波長のみ）のループ」の繰り返し処理が入れ子構造になっている。本例では光源部１３のＬＥＤの色数は３（紫外光、青色光、緑色光の３つ）なので、「ＬＥＤの色数のループ」の処理は３回繰り返される。また、「ＬＥＤの色数のループ」の１回目のループではＣＣＤ検出色数は３（青色、緑色、赤色の３つ）なので「ＣＣＤ検出色数のループ」の処理は３回繰り返される。「ＬＥＤの色数のループ」の２回目のループではＣＣＤ検出色数は２（緑色、赤色の２つ）なので「ＣＣＤ検出色数のループ」の処理は２回繰り返される。「ＬＥＤの色数のループ」の３回目のループではＣＣＤ検出色数は１（赤色光の１つ）なので「ＣＣＤ検出色数のループ」の処理は１回実行される。
【０１００】
「ＬＥＤの色数のループ」のステップＤ１において、発光／撮像制御部１１は、発光部１３に対して、例えば、紫外ＬＥＤ１３ＵＶ、青色ＬＥＤ１３Ｂ、緑色ＬＥＤ１３Ｇの順に発光状態を切替える制御を行う。１回目のループのステップＤ１では、光源部１３の紫外ＬＥＤ１３ＵＶから射出した紫外光の励起光だけが情報記録コード１の情報記録領域５０に照射される。
【０１０１】
次いで、ステップＤ２において、発光／撮像制御部１１は、撮像素子部１９に対して光源部１３での発光開始に同期させて所定の撮像タイミングにより各ＣＣＤによる撮像を開始させる制御を行う。ここでは、紫外ＬＥＤ１３ＵＶの発光開始に同期させて、青色用ＣＣＤ１９Ｂで第１像の画像データを取込み、緑色用ＣＣＤ１９Ｇで第２像の画像データを取込み、赤色用ＣＣＤ１９Ｒで第４像の画像データを取込む。撮像された第１像、第２像、第４像の各画像データは、各Ａ／Ｄ変換部２１、２３、２５でデジタル化されて特定パターン検出部２７に入力する。
【０１０２】
上記の所定の撮像タイミングは、各色ＬＥＤが発した光よりも長波長の光を撮像するように、動作させる撮像素子を選択する。例えば、紫外ＬＥＤ１３ＵＶが紫外光を発したタイミング（「ＬＥＤの色数のループ」の１回目のループ）では、青色、緑色、赤色の蛍光による全ての像（第１像、第２像、第４像）の画像データを取込む。また、青色ＬＥＤ１３Ｂが青色光を発したタイミング（「ＬＥＤの色数のループ」の２回目のループ）では、緑色、赤色の蛍光による全ての像（第３像、第５像）の画像データを取込む。また、緑色ＬＥＤ１３Ｇが緑色光を発したタイミング（「ＬＥＤの色数のループ」の３回目のループ）では、赤色の蛍光による全ての像（第６像）の画像データを取込む。こうすることで、吸収した光をより長波長の光に変換する蛍光体からの光を有効に吸収して、余分な画像を検出してしまうことを防ぐことができる。
【０１０３】
次いで、ステップＤ３において、特定パターン検出部２７は、撮像された第１像、第２像、第４像の各画像データのいずれか、または複数を用いて、図１０に示す３つの特定パターン２０２の位置を検出する。特定パターン検出部２７は、特定パターン２０２の位置情報と特定パターン２０２の画像データを基準強度検出部２９に入力する。
【０１０４】
また、ステップＤ３において、特定パターン検出部２７は、特定パターン２０２の位置情報と青色用ＣＣＤ１９Ｂで撮像されてデジタル化された青色画像データとを青色復調部３１に出力する。また、特定パターン検出部２７は、特定パターン２０２の位置情報と緑色用ＣＣＤ１９Ｇで撮像されてデジタル化された緑色画像データとを緑色復調部３３に出力する。また、特定パターン検出部２７は、特定パターン２０２の位置情報と赤色用ＣＣＤ１９Ｒで撮像されてデジタル化された赤色画像データとを赤色復調部３５に出力する。
【０１０５】
次いで、「ＣＣＤ検出色数のループ」の１回目のループのステップＤ４において、基準強度検出部２９は、検出した特定パターン２０２の白色のサブパターン２０２ｂの各単位セル（以下、リファレンスセルと呼ぶ）の例えば青色の信号強度を取得し、取得した青色の信号強度を平均化処理する。平均化処理して算出した青色の信号強度を青色の基準強度とする。特定パターン２０２内にリファレンスセルは複数ある。検出精度向上のため、全てのリファレンスセルの青色の発光強度を用いて平均化処理をするのが好ましい。
【０１０６】
基準強度検出部２９で求めたリファレンスセルの青色の基準強度は、第１励起発光対（「ＵＶ光−青色」）の第１蛍光体の基準強度として用いられる。基準強度検出部２９で求めた第１励起発光対（「ＵＶ光−青色」）の第１蛍光体の基準強度の情報は青色復調部３１に出力される。
【０１０７】
なお、リファレンスセルに６種類の蛍光体の全種類を塗布するのではなく、各リファレンスセル毎に１種類の蛍光体のみを塗布してもよい。このとき、リファレンスセルにどの蛍光体を塗布しているか検出器１０側で把握していて、各励起発光対に対応する基準強度をそれぞれ別のリファレンスセルから読みとすることができる。これにより全蛍光体を１つのセルに塗布する必要がなくなり、蛍光体の塗布量を抑えることができる。
【０１０８】
次いで、ステップＤ５において、青色復調部３１は、基準強度検出部２９から入力された青色の基準強度の情報と、単位セル２０４のそれぞれの検出強度とを比較して復調ビットを算出する。具体的には、青色復調部３１は、特定パターン検出部２７から入力された特定パターン２０２の位置情報と青色画像データとから各単位セルの位置情報を求める。次いで、青色復調部３１は、基準強度検出部２９から入力された第１励起発光対（「ＵＶ光−青色」）の第１蛍光体の基準強度の情報に基づき、各単位セル２０４での第１発光体の発光強度と基準強度との比を算出する。算出した比が約１（正確には５／６以上）のときは信号１０、約２／３（正確には３／６以上５／６未満）のときは信号１１、約１／３（正確には１／６以上３／６未満）のときは信号０１、約０（正確には１／６以下）のときは信号００とする。
【０１０９】
次いで、「ＣＣＤ検出色数のループ」の２回目のループのステップＤ４において、基準強度検出部２９は、検出した特定パターン２０２の白色のサブパターン２０２ｂのリファレンスセルの緑色の信号強度を取得し、取得した緑色の信号強度を平均化処理する。平均化処理して算出した緑色の信号強度を緑色の基準強度とする。
【０１１０】
基準強度検出部２９で求めたリファレンスセルの緑色の基準強度は、第２励起発光対（「ＵＶ光−緑色」）の第２蛍光体の基準強度として用いられる。基準強度検出部２９で求めた第２励起発光対（「ＵＶ光−緑色」）の第２蛍光体の基準強度の情報は緑色復調部３３に出力される。
【０１１１】
次いで、ステップＤ５において、緑色復調部３３は、基準強度検出部２９から入力された緑色の基準強度の情報と、単位セル２０４のそれぞれの検出強度とを比較して復調ビットを算出する。具体的には、緑色復調部３３は、特定パターン検出部２７から入力された特定パターン２０２の位置情報と緑色画像データとから各単位セルの位置情報を求める。次いで、緑色復調部３３は、基準強度検出部２９から入力された第２励起発光対（「ＵＶ光−緑色」）の第２蛍光体の基準強度の情報に基づき、各単位セル２０４での第２発光体の発光強度と基準強度との比を算出する。算出した比が約１（正確には５／６以上）のときは信号１０、約２／３（正確には３／６以上５／６未満）のときは信号１１、約１／３（正確には１／６以上３／６未満）のときは信号０１、約０（正確には１／６以下）のときは信号００とする。
【０１１２】
次いで、「ＣＣＤ検出色数のループ」の３回目のループのステップＤ４において、基準強度検出部２９は、検出した特定パターン２０２の白色のサブパターン２０２ｂのリファレンスセルの赤色の信号強度を取得し、取得した赤色の信号強度を平均化処理する。平均化処理して算出した赤色の信号強度を赤色の基準強度とする。
【０１１３】
基準強度検出部２９で求めたリファレンスセルの赤色の基準強度は、第４励起発光対（「ＵＶ光−赤色」）の第４蛍光体の基準強度として用いられる。基準強度検出部２９で求めた第４励起発光対（「ＵＶ光−赤色」）の第４蛍光体の基準強度の情報は赤色復調部３５に出力される。
【０１１４】
次いで、ステップＤ５において、赤色復調部３５は、基準強度検出部２９から入力された赤色の基準強度の情報と、単位セル２０４のそれぞれの検出強度とを比較して復調ビットを算出する。具体的には、赤色復調部３５は、特定パターン検出部２７から入力された特定パターン２０２の位置情報と赤色画像データとから各単位セルの位置情報を求める。次いで、赤色復調部３５は、基準強度検出部２９から入力された第４励起発光対（「ＵＶ光−赤色」）の第４蛍光体の基準強度の情報に基づき、各単位セル２０４での第４発光体の発光強度と基準強度との比を算出する。算出した比が約１（正確には５／６以上）のときは信号１０、約２／３（正確には３／６以上５／６未満）のときは信号１１、約１／３（正確には１／６以上３／６未満）のときは信号０１、約０（正確には１／６以下）のときは信号００とする。
【０１１５】
次に、「ＬＥＤの色数のループ」の２回目のループのステップＤ１では、光源部１３の光源を切替えて、ＵＶ光ＬＥＤ１３ＵＶを消灯させてから、青色ＬＥＤ１３Ｂの発光を開始させて青色光の励起光だけが情報記録コード１の情報記録領域５０に照射される。
【０１１６】
次いで、ステップＤ２において、青色ＬＥＤ１３Ｒの発光に同期させて、緑色用ＣＣＤ１９Ｇで第３像の画像データを取込み、赤色用ＣＣＤ１９Ｒで第５像の画像データを取込む。撮像された第３像と第５像の各画像データは、各Ａ／Ｄ変換部２３、２５でデジタル化されて特定パターン検出部２７に入力する。
【０１１７】
次いで、ステップＤ３において、特定パターン検出部２７は、撮像された第３像と第５像の各画像データのいずれか、または複数を用いて、図１０に示す３つの特定パターン２０２の位置を検出する。特定パターン検出部２７は、特定パターン２０２の位置情報と特定パターン２０２の画像データを基準強度検出部２９に入力する。なお、「ＬＥＤの色数のループ」の１回目のループで求めた特定パターン２０２の位置情報を再利用する場合には、当該ステップＤ３での特定パターン２０２の位置検出処理は省略可能である。
【０１１８】
また、ステップＤ３において、特定パターン検出部２７は、特定パターン２０２の位置情報と緑色用ＣＣＤ１９Ｇで撮像されてデジタル化された緑色画像データとを緑色復調部３３に出力する。また、特定パターン検出部２７は、特定パターン２０２の位置情報と赤色用ＣＣＤ１９Ｒで撮像されてデジタル化された赤色画像データとを赤色復調部３５に出力する。
【０１１９】
次いで、「ＣＣＤ検出色数のループ」の１回目のループのステップＤ４において、基準強度検出部２９は、検出した特定パターン２０２の白色のサブパターン２０２ｂのリファレンスセルの例えば緑色の信号強度を取得し、取得した緑色の信号強度を平均化処理する。平均化処理して算出した緑色の信号強度を緑色の基準強度とする。
【０１２０】
基準強度検出部２９で求めたリファレンスセルの緑色の基準強度は、第３励起発光対（「青色光−緑色」）の第３蛍光体の基準強度として用いられる。基準強度検出部２９で求めた第３励起発光対（「青色光−緑色」）の第３蛍光体の基準強度の情報は緑色復調部３３に出力される。
【０１２１】
次いで、ステップＤ５において、緑色復調部３３は、基準強度検出部２９から入力された緑色の基準強度の情報と、単位セル２０４のそれぞれの検出強度とを比較して復調ビットを算出する。具体的には、緑色復調部３３は、特定パターン検出部２７から入力された特定パターン２０２の位置情報と緑色画像データとから各単位セルの位置情報を求める。次いで、緑色復調部３３は、基準強度検出部２９から入力された第３励起発光対（「青色光−緑色」）の第３蛍光体の基準強度の情報に基づき、各単位セル２０４での第３発光体の発光強度と基準強度との比を算出する。算出した比が約１（正確には５／６以上）のときは信号１０、約２／３（正確には３／６以上５／６未満）のときは信号１１、約１／３（正確には１／６以上３／６未満）のときは信号０１、約０（正確には１／６以下）のときは信号００とする。
【０１２２】
次いで、「ＣＣＤ検出色数のループ」の２回目のループのステップＤ４において、基準強度検出部２９は、検出した特定パターン２０２の白色のサブパターン２０２ｂのリファレンスセルの赤色の信号強度を取得し、取得した赤色の信号強度を平均化処理する。平均化処理して算出した赤色の信号強度を赤色の基準強度とする。
【０１２３】
基準強度検出部２９で求めたリファレンスセルの赤色の基準強度は、第５励起発光対（「青色光−赤色」）の第５蛍光体の基準強度として用いられる。基準強度検出部２９で求めた第５励起発光対（「青色光−赤色」）の第５蛍光体の基準強度の情報は赤色復調部３５に出力される。
【０１２４】
次いで、ステップＤ５において、赤色復調部３５は、基準強度検出部２９から入力された赤色の基準強度の情報と、単位セル２０４のそれぞれの検出強度とを比較して復調ビットを算出する。具体的には、赤色復調部３５は、特定パターン検出部２７から入力された特定パターン２０２の位置情報と赤色画像データとから各単位セルの位置情報を求める。次いで、赤色復調部３５は、基準強度検出部２９から入力された第５励起発光対（「青色光−赤色」）の第５蛍光体の基準強度の情報に基づき、各単位セル２０４での第５発光体の発光強度と基準強度との比を算出する。算出した比が約１（正確には５／６以上）のときは信号１０、約２／３（正確には３／６以上５／６未満）のときは信号１１、約１／３（正確には１／６以上３／６未満）のときは信号０１、約０（正確には１／６以下）のときは信号００とする。
【０１２５】
次に、「ＬＥＤの色数のループ」の３回目のループのステップＤ１では、光源部１３の光源を切替えて、青色ＬＥＤ１３Ｂを消灯させてから、緑色ＬＥＤ１３Ｇの発光を開始させて緑色光の励起光だけが情報記録コード１の情報記録領域５０に照射される。
【０１２６】
次いで、ステップＤ２において、緑色ＬＥＤ１３Ｇの発光に同期させて、赤色用ＣＣＤ１９Ｒで第６像の画像データを取込む。撮像された第６像の画像データは、Ａ／Ｄ変換部２５でデジタル化されて特定パターン検出部２７に入力する。
【０１２７】
次いで、ステップＤ３において、特定パターン検出部２７は、撮像された第６像の画像データを用いて、図１０に示す３つの特定パターン２０２の位置を検出する。特定パターン検出部２７は、特定パターン２０２の位置情報と特定パターン２０２の画像データを基準強度検出部２９に入力する。なお、「ＬＥＤの色数のループ」の１回目あるいは２回目のループで求めた特定パターン２０２の位置情報を再利用する場合には、当該ステップＤ３での特定パターン２０２の位置検出処理は省略可能である。
【０１２８】
また、ステップＤ３において、特定パターン検出部２７は、特定パターン２０２の位置情報と赤色用ＣＣＤ１９Ｒで撮像されてデジタル化された赤色画像データとを赤色復調部３５に出力する。
【０１２９】
次いで、「ＣＣＤ検出色数のループ」のステップＤ４において、基準強度検出部２９は、検出した特定パターン２０２の白色のサブパターン２０２ｂのリファレンスセルの赤色の信号強度を取得し、取得した赤色の信号強度を平均化処理する。平均化処理して算出した赤色の信号強度を赤色の基準強度とする。
【０１３０】
基準強度検出部２９で求めたリファレンスセルの赤色の基準強度は、第６励起発光対（「緑色光−赤色」）の第６蛍光体の基準強度として用いられる。基準強度検出部２９で求めた第６励起発光対（「緑色光−赤色」）の第６蛍光体の基準強度の情報は赤色復調部３５に出力される。
【０１３１】
次いで、ステップＤ５において、赤色復調部３５は、基準強度検出部２９から入力された赤色の基準強度の情報と、単位セル２０４のそれぞれの検出強度とを比較して復調ビットを算出する。具体的には、赤色復調部３５は、特定パターン検出部２７から入力された特定パターン２０２の位置情報と赤色画像データとから各単位セルの位置情報を求める。次いで、赤色復調部３５は、基準強度検出部２９から入力された第６励起発光対（「緑色光−赤色」）の第６蛍光体の基準強度の情報に基づき、各単位セル２０４での第６発光体の発光強度と基準強度との比を算出する。算出した比が約１（正確には５／６以上）のときは信号１０、約２／３（正確には３／６以上５／６未満）のときは信号１１、約１／３（正確には１／６以上３／６未満）のときは信号０１、約０（正確には１／６以下）のときは信号００とする。
【０１３２】
このようにして、単位セル２０４の１個当り６個の２ビットの情報が得られる。ステップＤ６では、情報記録コード１の情報記録領域５０内の複数の単位セル２０４の情報が順次、誤り訂正復号部３７に入力する。誤り訂正復号部３７は、誤り訂正符号の復号を行う。符号化方式は、例えば畳み込み符号、ターボ符号、ＬＤＰＣ（Ｌｏｗ  Ｄｅｎｓｉｔｙ  Ｐａｒｉｔｙ  Ｃｈｅｃｋ）符号などが挙げられるがこれに限られるものではない。誤り訂正復号部３７は、全単位セル２０４の全励起発光対について入力された信号を用いて誤り訂正復号処理を行い所望のビットを出力する。
【０１３３】
次に、図１３を用いて本実施の形態による情報記録コード１の作成方法について説明する。図１３（ａ）は、本実施の形態による情報記録コード１の作成方法の流れを示すフローチャートである。まず、ステップＥ１で所望のビットを符号化する。ここで符号化とは誤り訂正符号のことを示し、例えば畳み込み符号、ターボ符号、ＬＤＰＣ符号などが挙げられるがこれに限られるものではない。
【０１３４】
次に、ステップＥ２において、各単位セル２０４における第１〜第６蛍光体の塗布量を算出する。このため、符号化ビットを第１〜第６励起発光対に対応する第１〜第６蛍光体材料の塗布量に変換する。図１３（ｂ）は、第１〜第６励起発光対に対応する第１〜第６蛍光体材料の一例を示している。図１３（ｂ）に示す第１〜第６蛍光体は第１の実施の形態で図３〜図８に示した材料を用いることができる。ここで、塗布量とは単位セル２０４の１個当りに塗布する量である。塗布量に比例して発光強度が高くなるような範囲となるように最大塗布量ａを決定する。発光強度は４段階とし、塗布量をそれぞれ０、（１／３）ａ、（２／３）ａ、ａとする。各塗布量に符号化ビットを割り当てる。例えば図１３（ｃ）に示す表のように、塗布量０に符号化ビット００を割り当て、塗布量（１／３）ａに符号化ビット０１を割り当て、塗布量ａに符号化ビット１０を割り当て、塗布量（２／３）ａに符号化ビット１１を割り当てる。ここで、符号化ビット１０に塗布量（２／３）ａを割り当てず、符号化ビット１１に塗布量ａを割り当てないのは、逆に割り当てる方が符号化ビットの検出誤り率が少ないからである。
【０１３５】
各励起発光対につき２ビットが割り当てられるので、１つの単位セル２０４では１２ビットを割り当てることができる。従来例のように１つの単位セルの色を認識する場合には２１２＝４０９６色を認識する必要があるが、外光が様々に変化ずる環境中で４０９６色を認識するのは事実上不可能である。本実施形態によれば、従来例では載せられない大量の情報を１つの情報記録コード１に載せることができる。
【０１３６】
次に、ステップＥ３では、各単位セル２０４に符号化ビットを割り当てるとともに、符号化ビットに応じた各単位セル２０４への第１〜第６蛍光体の塗布量を決定する。例えば、図１０に示す情報記録コード１の情報記録領域５０内の複数の単位セル２０４に対し、符号ビットの最初１２ビットを単位セル２０４−００１に割り当てて、当該単位セル２０４−００１への第１〜第６蛍光体の塗布量を決定する。次いで、次の１２ビットを単位セル２０４−００２に割り当てて、当該単位セル２０４−００２への第１〜第６蛍光体の塗布量を決定する。以下同様にして、順に次の１２ビットを単位セル２０４−ｘｘｘに順番に割り当てるとともに第１〜第６蛍光体の塗布量を決定する。
【０１３７】
次のステップＥ４では、単位セル２０４への第１〜第６蛍光体の塗布印刷を行う。各単位セル２０４に割り当てられた第１〜第６蛍光体をステップＥ３で決定した塗布量に応じて塗布する。
【０１３８】
次のステップＥ５では、特定パターン２０２の印刷を行う。図１０に示す情報記録コード１の特定パターン２０２を情報記録領域５０内の四隅のうちの３カ所に印刷する。このとき特定パターン２０２のサブパターン２０２ｂの白色で示す単位セルには、６種類の全蛍光体の塗布量を最大塗布量まで塗布する。
【０１３９】
図１４は、図１３に示す方法で作成した情報記録コード１の単位セル２０４に塗布された例えば第１蛍光体に対し、図１１に示す情報記録コード１の検出器１０を用いて図１２のステップＤ５で行う復調処理を具体的に示している。図１４に示すグラフの縦軸は第１蛍光体のリファレンスセルの発光強度を１とした場合の第１蛍光体の発光強度を示している。横軸は復調される信号を示している。
図１４に示す第１蛍光体の信号ａは、約２／３の発光強度を示している。復調処理では、発光強度が中心値２／３（３／６以上５／６未満）のときは信号を１１と判定するので、信号ａは２ビットデータの「１１」に復調される。また、信号ｂは、約１／３の発光強度を示している。復調処理では、発光強度が中心値１／３（１／６以上３／６未満）のときは信号を０１と判定するので、信号ｂは２ビットデータの「０１」に復調される。また、信号ｃは、約１の発光強度を示している。復調処理では、発光強度が５／６以上１以下のときは信号を１０と判定するので、信号ｃは２ビットデータの「１０」に復調される。また、復調処理では、発光強度が０（１／６以下）のときは信号を００と判定するので、発光強度が１／６以下の信号は２ビットデータの「００」に復調される。誤差を最小限にするため各ビットは各括弧内に示す範囲を基準として判定する。
【０１４０】
このように情報記録コード１は、第１〜第３蛍光体の少なくとも一部が塗布されたリファレンスセル２０２を有しており、リファレンスセル２０２における第１〜第３発光波長の各光の発光強度と、単位セル２０４における第１〜第３発光波長の各光の発光強度との比を変化させて、３ビットより多い情報を記録できるように単位セル２０４およびリファレンスセル２０２の各塗布量が制御されている。このため、複数の蛍光体を塗布量を制御して同一の情報記録領域５０内に塗布することにより、第１〜第３発光波長の各光の発光強度を変化させて３ビットより多い情報を記録できる。より具体的には、第１〜第３蛍光体の各塗布量はそれぞれ４段階に区分されており、第１〜第３発光波長の各光の発光強度をそれぞれ４段階に変化させて単位セル２０４当りで６ビットの情報を記録可能となる。
【０１４１】
さらに、情報記録コード１は、第１〜第６蛍光体の少なくとも一部が塗布されたリファレンスセル２０２を有している場合には、リファレンスセル２０２における第１〜第６発光波長の各光の発光強度と、単位セル２０４における第１〜第６発光波長の各光の発光強度との比を変化させて、６ビットより多い情報を記録できるように単位セル２０４およびリファレンスセル２０２の各塗布量が制御されている。このため、複数の蛍光体を塗布量を制御して同一の情報記録領域５０内に塗布することにより、第１〜第６発光波長の各光の発光強度を変化させて６ビットより多い情報を記録できる。より具体的には、第１〜第６蛍光体の各塗布量はそれぞれ４段階に区分されており、第１〜第６発光波長の各光の発光強度をそれぞれ４段階に変化させて単位セル２０４当りで１２ビットの情報を記録可能となる。
【０１４２】
以上説明した本実施の形態による情報記録コード１と、情報記録コード１の検出装置１０とで情報記録コード１の検出システムを実現できる。
【０１４３】
［第３の実施の形態］
次に、本発明の第３の実施の形態による情報記録コード、その検出装置、およびその検出システムについて図１５および図１６を用いて説明する。図１５は、本実施の形態による情報記録コード１の検出装置（検出器１０）の構成を説明するブロック図である。本実施の形態による情報記録コードの検出器１０は、復調部３１、３３、３５と誤り訂正復号部３７との間にデインターリーブ部４１を設けていることを除き、図１１に示す第２の実施の形態による情報記録コードの検出器１０と同一の構成を有している。第２の実施の形態による情報記録コードの検出器１０と同一の構成要素には同一の符号を付してその説明は省略する。本実施形態の検出器１０の復号処理部２０の青色復調部３１、緑色復調部３３、および赤色復調部３５の出力端はデインターリーブ部４１に接続されている。デインターリーブ部４１の出力端は誤り訂正復号部３７に接続されている。
【０１４４】
インターリーブ・デインターリーブを行わない場合、情報記録コード１の情報記録領域５０の一部分に汚れが付着したり、蛍光体の特性の劣化が局所的に進んだりした場合に、検出能力が低下してしまうという問題がある。そこで、本実施形態の情報記録コード１では、インターリーブ処理を行うことで符号化ビットのうち近い順番にあるビットを情報記録領域５０全体に分散し、情報記録領域５０の一部分が局所的に劣化したとしても記録された情報を検出できなくなる可能性を抑えるようにしている。
【０１４５】
図１６は、本実施の形態による情報記録コード１の作成方法の流れを示すフローチャートである。本実施の形態による情報記録コード１の作成方法は、ステップＥ１とステップＥ２との間にインターリーブ処理のステップＥ１−１を設けていることを除き、図１３（ａ）に示す第２の実施の形態による情報記録コード１の作成方法の流れを示すフローチャートと同一である。第２の実施の形態による情報記録コードの作成方法と同一の処理には同一のステップ番号を付してその説明は省略する。本実施形態に係るコード作成方法では、ステップＥ１での所望ビット符号化処理の後に、符号化ビットのインターリーブを行う（ステップＥ１−１）。その後は第２の実施の形態の図１３（ａ）に示すステップＥ２−Ｅ５と同様の処理を実行する。インターリーブは、符号化ビットの順番をランダムに入れ替える操作である。
【０１４６】
図１５に示すデインターリーブ部４１では、各復調部３１、３３、３５から出力された復調後のビットデータに対し、図１６に示すコード作成方法のステップＥ１−１でのインターリーブ処理で実行された順番入れ替えを元に戻す処理が行われる。
【０１４７】
以上説明した本実施の形態による情報記録コード１と、情報記録コード１の検出装置１０とで情報記録コード１の検出システムを実現できる。
【０１４８】
［第４の実施の形態］
次に、本発明の第４の実施の形態による情報記録コード、その検出装置、およびその検出システムについて図１７を用いて説明する。図１７は、本実施の形態による情報記録コード２の構成の一例を示している。上述の第１〜第３の実施の形態では、情報記録コード１として二次元コードについて説明したが、本実施の形態では情報記録コード２が一次元バーコードである場合について説明する。図１７（ａ）は、本実施の形態による情報記録コード２を示しており、長方形形状の情報記録領域５２内に、第１励起波長の励起光が照射されると第１励起波長と異なる第１発光波長の光を発光する第１蛍光体を塗布して第１一次元バーコード２−１が形成されている。塗布の仕方としては、従来の白黒の一次元バーコードの白色部分は第１蛍光体を塗布して励起光照射による発光部分とし、従来の白黒の一次元バーコードの黒色部分は第１蛍光体を塗布しないで励起光照射による非発光部分とする。
【０１４９】
図１７（ｂ）は、図１７（ａ）に示す情報記録領域５２内に、第１励起波長の励起光が照射されると第１励起波長と異なる第２発光波長の光を発光する第２蛍光体を塗布して形成した第２一次元バーコード２−２を示している。塗布の仕方は上述の第１蛍光体の場合と同様である。図１７（ｃ）は、図１７（ａ）に示す情報記録領域５２内に、第２励起波長の励起光が照射されると第２励起波長と異なる第３発光波長の光を発光する第３蛍光体を塗布して形成した第３一次元バーコード２−３を示している。塗布の仕方は上述の第１蛍光体の場合と同様である。
【０１５０】
このように本実施の形態による情報記録コード２は、情報記録領域５２内に複数種類（本例では３種類）の蛍光体を重ねて塗布して、情報記録領域５２内で３種類の一次元情報を重ねて記録していることを特徴としている。
【０１５１】
さらに、図１７（ｄ）は、図１７（ａ）に示す情報記録領域５２内に、第１励起波長の励起光が照射されると第１励起波長と異なる第４発光波長の光を発光する第４蛍光体を塗布して形成した第４一次元バーコード２−４を示している。塗布の仕方は上述の第１蛍光体の場合と同様である。さらに、図１７（ｅ）は、図１７（ａ）に示す情報記録領域５２内に、第２励起波長の励起光が照射されると第２励起波長と異なる第５発光波長の光を発光する第５蛍光体を塗布して形成した第５一次元バーコード２−５を示している。塗布の仕方は上述の第１蛍光体の場合と同様である。さらに、図１７（ｆ）は、図１７（ａ）に示す情報記録領域５２内に、第３励起波長の励起光が照射されると第３励起波長と異なる第６発光波長の光を発光する第６蛍光体を塗布して形成した第６一次元バーコード２−６を示している。塗布の仕方は上述の第１蛍光体の場合と同様である。
【０１５２】
このように本実施の形態による情報記録コード２は、情報記録領域５２内に複数種類（本例では６種類）の蛍光体を重ねて塗布して、情報記録領域５２内で６種類の一次元情報を重ねて記録していることを特徴としている。なお、本実施形態における第１〜第６蛍光体は、第１の実施の形態の図３〜図８に示す第１〜第６蛍光体と同じである。
【０１５３】
従来の一次元バーコードは白と黒の２色であるが、本実施形態では、第１の実施の形態で説明した６種類の第１〜第６励起発光対の第１〜第６蛍光体を用いている。第１〜第６励起発光対によれば対応する各蛍光体対を独立して塗布できるため、６種類の異なる蛍光体を用いてそれぞれ異なる情報を含む６種類の一次元バーコードを同一の情報記録領域５２内に塗布することができる。つまり、６つの完全に独立した一次元バーコードと同じ情報量を、１つの一次元バーコードが占める面積と同じ面積に記録できる。
【０１５４】
図１８は、本実施の形態による情報記録コード２の検出装置（検出器１０）の構成を説明するブロック図である。図１８において、図１１に示す情報記録コード１の検出器１０と同一または類似の動作を行う構成要素については同一の符号を付してその説明を省略する場合がある。情報記録コード２の検出器１０は、情報記録コード２の情報記録領域５０に励起光を照射する光源部１３を有している。光源部１３の光源１３ＵＶ、１３Ｂ、１３Ｇは、第２の実施の形態の図１１に示した光源１３ＵＶ、１３Ｂ、１３Ｇと同一である。本実施形態の光源部１３は、光源を射出した光を走査させる走査部１３Ｓを有している。走査部１３Ｓを射出した光は、情報記録コード２の情報記録領域５２上を一次元方向に１回または複数回走査される。
【０１５５】
情報記録コード２の検出器１０は、情報記録コード２の情報記録領域５２に光源部１３から照射された励起光により、情報記録領域５２内に塗布された蛍光体が発する光を受光する受光部１８を有している。受光部１８に至る光路上には、情報記録コード２の情報記録領域５２からの光を正確に伝達するための光学系３９が配置されている。
【０１５６】
受光部１８内には、３種類の受光素子が配置されている。第１受光素子としての青色用受光素子１８Ｂは、第１励起波長の励起光としてのＵＶ光の照射により第１蛍光体が発する第１発光波長の光（青色光）である第１光（第１蛍光体の存在位置を示す光信号）を受光する。
【０１５７】
第２受光素子としての緑色用受光素子１８Ｇは、第１励起波長の励起光としてのＵＶ光の照射により第２蛍光体が発する第２発光波長の光（緑色光）である第２光（第２蛍光体の存在位置を示す光信号）と、第２励起波長の励起光としての青色光の照射により第３蛍光体が発する第３発光波長の光（緑色光）である第３光（第３蛍光体の存在位置を示す光信号）とを受光する。
【０１５８】
第３受光素子としての赤色用受光素子１８Ｒは、第１励起波長の励起光としてのＵＶ光の照射により第４蛍光体が発する第４発光波長の光（赤色光）である第４光（第４蛍光体の存在位置を示す光信号）と、第２励起波長の励起光としての青色光の照射により第５蛍光体が発する第５発光波長の光（赤色光）である第５光（第５蛍光体の存在位置を示す光信号）と、第３励起波長の励起光としての緑色光の照射により第６蛍光体が発する第６発光波長の光（赤色光）である第６光（第６蛍光体の存在位置を示す光信号）とを受光する。
【０１５９】
また、情報記録コード２の検出器１０は、光源部１３と受光素子部１８とを制御する発光／受光制御部１１を有している。発光／受光制御部１１は、発光部１３に対して紫外ＬＥＤ１３ＵＶと青色ＬＥＤ１３Ｂと緑色ＬＥＤ１３Ｇの発光状態を順次切替える制御を行う。具体的には、紫外ＬＥＤ１３ＵＶ、青色ＬＥＤ１３Ｂ、および緑色ＬＥＤ１３Ｇが、例えば１００ｍｓｅｃ．の間隔で順に例えば１００ｍｓｅｃ．だけ発光するように制御する。なお、各ＬＥＤの発光時間や発光間隔、あるいは発光の順序は種々変更が可能である。
【０１６０】
また、発光／受光制御部１１は、受光素子部１８に対して光源部１３での発光開始に同期させて各受光素子による受光を開始させる制御を行う。具体的には、紫外ＬＥＤ１３ＵＶの発光に同期させて、青色用受光素子１８Ｂで第１光の受光データを取込み、緑色用受光素子１８Ｇで第２光の受光データを取込み、赤色用受光素子１８Ｒで第４光の受光データを取込むように制御する。また、青色ＬＥＤ１３Ｂの発光に同期させて、緑色用受光素子１８Ｇで第３光の受光データを取込み、赤色用受光素子１８Ｒで第５光の受光データを取込むように制御する。また、緑色ＬＥＤ１３Ｇの発光に同期させて、赤色用受光素子１８Ｒで第６光の受光データを取込むように制御する。
【０１６１】
また、情報記録コード２の検出器１０は、第１〜第６光の受光データを復号して６種類の一次元情報を読み出す復号処理部２０を有している。復号処理部２０は、青色用受光素子１８Ｂで受光したアナログ信号をデジタル信号に変換するＡ／Ｄ（アナログ／デジタル）変換部２１と、緑色用受光素子１８Ｇで受光したアナログ信号をデジタル信号に変換するＡ／Ｄ変換部２３と、赤色用受光素子１８Ｒで受光したアナログ信号をデジタル信号に変換するＡ／Ｄ変換部２５とを有している。
【０１６２】
復号処理部２０は、Ａ／Ｄ変換部２１でデジタル信号に変換された受光データが入力される青色復調部３１と、Ａ／Ｄ変換部２３でデジタル信号に変換された受光データが入力される緑色復調部３３と、Ａ／Ｄ変換部２５でデジタル信号に変換された受光データが入力される赤色復調部３５とを有している。
【０１６３】
青色復調部３１では、入力された受光データの強度に基づいて所定ビット数のビットデータを復調する。また、緑色復調部３３では、入力された受光データの強度に基づいて所定ビット数のビットデータを復調する。赤色復調部３５では、入力された受光データの強度に基づいて所定ビット数のビットデータを復調する。また、復号処理部２０は、各色の復調部３１、３３、３５で復調されたビットデータの誤り訂正を行う誤り訂正復号部３７を有している。誤り訂正復号部３７は、誤り訂正符号の復号を行う。符号化方式は、例えば畳み込み符号、ターボ符号、ＬＤＰＣ（Ｌｏｗ  Ｄｅｎｓｉｔｙ  Ｐａｒｉｔｙ  Ｃｈｅｃｋ）符号などが挙げられるがこれに限られるものではない。誤り訂正復号部３７は、第１〜第６一次元バーコードについて入力されたビットデータを用いて誤り訂正復号処理を行い所望のビットデータを出力する。
【０１６４】
以上説明した本実施の形態による情報記録コード２と、情報記録コード２の検出装置１０とで情報記録コード２の検出システムを実現できる。
【０１６５】
以上説明した第１〜第４の実施の形態によれば以下のような効果を得ることができる。
従来の一次元バーコードや二次元コードでは記録できる情報量が少ないという問題があった。二次元コードをカラー化したカラーコードも存在するが、まだ十分な情報量ではない。情報量を増やそうとすると線幅を細くしたり、ドットを細かくしたりする必要が生じて読み取りエラーが起きやすくなるという問題が生じる。
【０１６６】
これらの問題の原因は、従来のコードでは、光を吸収する部分と散乱する部分の二つの反射光の強度比でしか情報を記録できないからである。カラーコードでも青、緑、赤の三色の光の吸収と散乱でしか情報を記録できない。
【０１６７】
これに対し、上述の第１〜第４の実施の形態では、蛍光体を用いて一次元バーコードや二次元コードを作成する。使用する蛍光体は、励起光の色（波長）と発光の色（波長）との２つの組み合わせによる励起発光対で種類分けしているので、受光する色数が従来と同じであっても、従来のカラーコードが前提としている各色（青、緑、赤の３色）の吸収量だけに情報を乗せるよりも、励起光の種類が増えた分だけより情報を多重に乗せることができるようになる。つまり、検出色数を変えずに、さらに多くの情報量を記録できる。これにより、本実施の形態によれば線幅やドットの細かさを変えなくても、多くの情報を記録できるようになる。
【０１６８】
本発明は、上記実施の形態に限らず種々の変形が可能である。
例えば、上記第２〜第４の実施の形態では、第１〜第６蛍光体を用いた情報記録コード、その検出装置、およびその検出システムについて説明しているが、本発明はこれに限られない。上記第２〜第４の実施の形態は、蛍光体の種類を第１〜第３蛍光体に減らしても同様の情報記録コード、その検出装置、およびその検出システムに適用することができる。この場合の上記第２および第３の実施の形態の情報記録コード１によれば、発光色の数が２つ（例えば、青色と緑色）で、情報記録領域５０内の単位セル２０４当り３ビットの情報を記録することができる。また、第４の実施の形態の情報記録コード２によれば、発光色の数が２つ（例えば、青色と緑色）で、情報記録領域５２内に３種類の一次元情報を重ねて記録可能となる。このため、上記第２〜第４の実施の形態の情報記録コード１、２の検出器１０において、光源部１３の緑色ＬＥＤ１３Ｇは不要となり、紫外ＬＥＤ１３ＵＶおよび青色ＬＥＤ１３Ｂだけで情報読み出しが可能となる。また、赤色用ＣＣＤ１９Ｒ、赤色用受光素子１８Ｒ、およびＡ／Ｄ変換部２５も不要となる。
【０１６９】
また、情報記録コード１は、第１〜第３蛍光体の少なくとも一部が塗布されたリファレンスセル２０２を有し、リファレンスセル２０２における第１〜第３発光波長の各光の発光強度と、単位セル２０４における第１〜第３発光波長の各光の発光強度との比を変化させて、３ビットより多い情報を記録できるように単位セル２０４およびリファレンスセル２０２の各塗布量が制御されている。また、第１〜第３蛍光体の各塗布量はそれぞれ４段階に区分されており、第１〜第３発光波長の各光の発光強度をそれぞれ４段階に変化させて単位セル２０４当りで６ビットの情報が記録可能となる。
【０１７０】
例えば、上記の第４の実施の形態では、図１８に示す情報記録コード２の検出器１０を用いているが、本発明はこれに限られない。例えば、第４の実施の形態について、図１１や図１５に示す情報記録コード１の検出器１０を用いることももちろん可能ある。
【０１７１】
また、第４の実施の形態の図１８に示す情報記録コード２の検出器１０では、インターリーブ・デインターリーブ処理を行っていないが、本発明はこれに限られない。図１８に示す検出器１０の復調部３１、３３、３５と誤り訂正復号部３７との間に、第３の実施の形態で説明したデインターリーブ部４１を設けるようにしてももちろんよい。
【０１７２】
なお、上述の各実施例に記載されている技術的特徴（構成要件）は相互に組合せ可能であり、組み合わせることにより、新しい技術的特徴を形成することができる。
【産業上の利用可能性】
【０１７３】
本発明は、一次元バーコードや二次元コードを備えて情報を読み取るシステム等において広く利用可能である。
【符号の説明】
【０１７４】
１、２  情報記録コード
１０  情報記録コードの検出器
１１  発光／撮像制御部（発光／走査制御部）
１３  紫外ＬＥＤ
１５  青色ＬＥＤ
１７  緑色ＬＥＤ
１９  カラーＣＣＤ
１９Ｂ  青色用ＣＣＤ
１９Ｇ  緑色用ＣＣＤ
１９Ｒ  赤色用ＣＣＤ
２０  復号処理部
２１、２３、２５  Ａ／Ｄ変換部
２７  特定パターン検出部
２９  基準強度検出部
３１  青色復調部
３３  緑色復調部
３５  赤色復調部
３７  誤り訂正復号部
３９  集光レンズ
５０、５２  情報記録領域
２０２  リファレンスセル
２０２ａ、２０２ｂ、２０２ｃ  サブパターン
２０４  単位セル
【図１】
2015099431.tif 000003
【図２】
2015099431.tif 000004
【図３】
2015099431.tif 000005
【図４】
2015099431.tif 000006
【図５】
2015099431.tif 000007
【図６】
2015099431.tif 000008
【図７】
2015099431.tif 000009
【図８】
2015099431.tif 000010
【図９】
2015099431.tif 000011
【図１０】
2015099431.tif 000012
【図１１】
2015099431.tif 000013
【図１２】
2015099431.tif 000014
【図１３】
2015099431.tif 000015
【図１４】
2015099431.tif 000016
【図１５】
2015099431.tif 000017
【図１６】
2015099431.tif 000018
【図１７】
2015099431.tif 000019
【図１８】
2015099431.tif 000020